(57)【要約】  出力装置（２）が表示する第１の画像に対応する第２の画像と、当該第２の画像を編集するための編集用部品とを、画像編集用画面に表示させる表示制御部（１２）と、表示制御部（１２）が表示させた編集用部品を用いて編集された第２の画像に基づき、出力装置（２）が第１の画像を表示するための出力画像を生成し、当該出力画像を出力装置（２）に出力する出力制御部（１５）とを備えた。
2020008498.tif 000002
【特許請求の範囲】
【請求項１】
出力装置が第１の画像を表示している状態において、当該第１の画像を編集するための編集装置であって、
前記第１の画像に対応する第２の画像と、当該第２の画像を編集するための編集用部品とを、画像編集用画面に表示させる表示制御部と、
前記表示制御部が表示させた前記編集用部品を用いて編集された前記第２の画像に基づき、前記出力装置が前記第１の画像を表示するための出力画像を生成し、当該出力画像を前記出力装置に出力する出力制御部
とを備えた編集装置。
【請求項２】
前記第２の画像を編集するための編集操作を受け付ける操作受付部と、
前記操作受付部が受け付け可能な編集操作を制限する操作制限部
とを備えた請求項１記載の編集装置。
【請求項３】
前記第１の画像が表示される実空間に関する空間情報を取得する実空間情報取得部と、
前記実空間情報取得部が取得した前記空間情報に基づき、前記実空間に存在する構造物に関する編集ガイド情報を設定する編集ガイド設定部とを備え、
前記表示制御部は、前記第２の画像とともに前記編集ガイド情報に基づく画像を表示させる
ことを特徴とする請求項１記載の編集装置。
【請求項４】
前記第２の画像を編集するための編集操作を受け付ける操作受付部と、
前記操作受付部が受け付けた編集操作により、前記第２の画像と前記編集ガイド情報に基づく画像とが重なる位置に移動された場合、前記操作受付部が受け付け可能な編集操作を制限する操作制限部と、
前記操作制限部により前記操作受付部が受け付け可能な編集操作が制限された旨の通知を出力させる通知部
を備えた請求項３記載の編集装置。
【請求項５】
前記第１の画像が表示される実空間を撮影した画像を空間情報として取得する実空間情報取得部を備え、
前記表示制御部は、前記第２の画像を、前記実空間情報取得部が取得した前記空間情報に重畳させて表示させる
ことを特徴とする請求項１記載の編集装置。
【請求項６】
前記第１の画像を視認する視認者の視点に関する視点情報を受け付ける視点受付部を備え、
前記出力制御部は、前記第２の画像と、前記視点受付部が受け付けた前記視点情報に基づき、前記出力画像を生成する
ことを特徴とする請求項１記載の編集装置。
【請求項７】
前記出力装置の周囲の環境に関する環境情報を受け付ける環境情報受付部を備え、
前記出力制御部は、前記第２の画像と、前記環境情報受付部が受け付けた前記環境情報に基づき、前記出力画像を生成する
ことを特徴とする請求項１記載の編集装置。
【請求項８】
出力装置が第１の画像を表示している状態において、当該第１の画像を編集するための編集方法であって、
表示制御部が、前記第１の画像に対応する第２の画像と、当該第２の画像を編集するための編集用部品とを、画像編集用画面に表示させるステップと、
出力制御部が、前記表示制御部が表示させた前記編集用部品を用いて編集された前記第２の画像に基づき、前記出力装置が前記第１の画像を表示するための出力画像を生成し、当該出力画像を前記出力装置に出力するステップ
とを備えた編集方法。
【請求項９】
コンピュータを、
出力装置が第１の画像を表示している状態において、当該第１の画像を編集するための編集装置において、
コンピュータを、
前記第１の画像に対応する第２の画像と、当該第２の画像を編集するための編集用部品とを、画像編集用画面に表示させる表示制御部と、
前記表示制御部が表示させた前記編集用部品を用いて編集された前記第２の画像に基づき、前記出力装置が前記第１の画像を表示するための出力画像を生成し、当該出力画像を前記出力装置に出力する出力制御部
として機能させるための編集プログラム。
【請求項１０】
第１の画像を表示する出力装置と、
前記出力装置が前記第１の画像を表示している状態において、当該第１の画像を編集するための編集装置であって、
前記第１の画像に対応する第２の画像と、当該第２の画像を編集するための編集用部品とを、画像編集用画面に表示させる表示制御部と、
前記表示制御部が表示させた前記編集用部品を用いて編集された前記第２の画像に基づき、前記出力装置が前記第１の画像を表示するための出力画像を生成し、当該出力画像を前記出力装置に出力する出力制御部とを有する編集装置
とを備えた編集システム。
【発明の詳細な説明】
【技術分野】
【０００１】
この発明は、出力装置により表示されている画像を編集する編集装置、編集方法、編集プログラム、および、当該編集装置と出力装置とを備えた編集システムに関するものである。
【背景技術】
【０００２】
従来、視認者が視認可能な画像を表示する出力装置が知られている。
例えば、特許文献１には、コンピュータの表示画面上で生成した企画車両モデルを３次元仮想空間道路で走行させ、運転手の視界をプロジェクタ型表示装置の画面上にシミュレーション表示する車両企画支援システムが開示されている。
【先行技術文献】
【特許文献】
【０００３】
【特許文献１】特開２００８−１４０１３８号公報
【発明の概要】
【発明が解決しようとする課題】
【０００４】
特許文献１に開示されているような技術に代表される従来技術では、出力装置であるプロジェクタ型表示装置によって、シミュレーション表示としての画像が表示されている状態で、当該画像をリアルタイムに編集することができないという課題があった。【０００５】
この発明は上記のような課題を解決するためになされたもので、出力装置によって画像が表示されている状態で、当該画像をリアルタイムで編集することができる編集装置を提供することを目的としている。
【課題を解決するための手段】
【０００６】
この発明に係る編集装置は、出力装置が第１の画像を表示している状態において、当該第１の画像を編集するための編集装置であって、第１の画像に対応する第２の画像と、当該第２の画像を編集するための編集用部品とを、画像編集用画面に表示させる表示制御部と、表示制御部が表示させた編集用部品を用いて編集された第２の画像に基づき、出力装置が第１の画像を表示するための出力画像を生成し、当該出力画像を前記出力装置に出力する出力制御部とを備えたものである。
【発明の効果】
【０００７】
この発明によれば、出力装置によって画像が表示されている状態で、当該画像をリアルタイムに編集することができる。
【図面の簡単な説明】
【０００８】
【図１】図１Ａは、実施の形態１における編集システムの構成の一例を示す図である。図１Ｂは、実施の形態１における編集システムの構成の他の例を示す図である。
【図２】実施の形態１において、プロジェクタが表示する第１の画像の一例を示す図である。
【図３】実施の形態１において、アニメーションが付与された第１の画像の一例を示す図である。
【図４】実施の形態１に係る編集装置の構成例を示す図である。
【図５】実施の形態１において、ユーザが表示部をタッチして呼び出す、画像編集用画面の一例を説明するための図である。
【図６】ユーザが実施の形態１に係る編集装置を利用して、プロジェクタが表示している第１の画像を編集する際の編集装置の動作について説明するためのフローチャートである。
【図７】実施の形態１において、画像編集用画面の各領域に表示される情報の一例を説明するための図である。
【図８】実施の形態１において、画像選択用画面の一例を説明するための図である。
【図９】実施の形態１において、ユーザが、２本の指でタッチすることで、第２の画像の大きさを編集する動作のイメージの一例を示す図である。
【図１０】実施の形態１において、ユーザが、１本の指をスライトさせることで、第２の画像の向きを編集する動作のイメージの一例を示す図である。
【図１１】実施の形態１において、表示制御部が、第２の画像に付与されたアニメーションの度合いを編集するための編集用部品を表示させた画面の一例のイメージを示す図である。
【図１２】実施の形態１において、表示制御部が、第２の画像に付与されたアニメーションの度合いを編集するための編集用部品を表示させた画面のその他の一例のイメージを示す図である。
【図１３】実施の形態１において、編集機能表示領域に表示されているアニメーション設定画面の一例を示す図である。
【図１４】図１４Ａ，図１４Ｂは、この発明の実施の形態１に係る編集装置のハードウェア構成の一例を示す図である。
【図１５】実施の形態２に係る編集装置の構成例を示す図である。
【図１６】実施の形態２において、表示制御部が、編集ガイド情報に基づく情報を表示させた、編集画像表示領域のイメージの一例を示す図である。
【図１７】実施の形態２において、表示制御部が、編集ガイド情報に基づく情報を表示させた、編集画像表示領域のイメージのその他の一例を示す図である。
【図１８】実施の形態３に係る編集装置の構成例を示す図である。
【図１９】実施の形態３において、出力制御部が、視認者から見て、予め設定された大きさおよび向きで表示されるよう、第１の画像を変形または回転させて表示させたイメージの一例を示す図である。
【図２０】実施の形態４に係る編集装置の構成例を示す図である。
【図２１】実施の形態４において、出力制御部が、第２の画像の色および形状のまま第１の画像が表示されるよう、環境情報を考慮しない場合の第１の画像に対し、輝度または色を変更した第１の画像を表示させたイメージの一例を示す図である。
【発明を実施するための形態】
【０００９】
以下、この発明の実施の形態について、図面を参照しながら詳細に説明する。
実施の形態１．
編集装置は、視認者に視認させるために出力装置が表示している第１の画像を、ユーザが編集するための装置である。実施の形態１においては、第１の画像として、人流を制御するための情報を示す画像が想定されている。第１の画像が示す情報は、具体的には、屋内施設の種別を示す情報、進行方向を示す情報、緊急避難案内を示す情報、立入禁止を示す情報、または、人流制御の対象となる視認者の性別等の視認者の属性を示す情報等である。
なお、第１の画像は、１つ以上の文字、１つ以上の文字列、１つ以上の図形、１つ以上の記号、または、１つ以上の写真等によって構成される画像である。これらの文字、文字列、図形、記号、または、写真等のそれぞれを、以下「画像構成要素」ともいう。また、第１の画像の態様は、静止画であってもよいし、動画であってもよい。
【００１０】
以下の説明においては、一例として、編集装置は、タッチパネルを備えたタブレット型のＰＣ（Ｐｅｒｓｏｎａｌ  Ｃｏｍｐｕｔｅｒ）（以下「タブレットＰＣ」という。）に搭載されるものとする。また、以下の説明においては、一例として、出力装置は、光を利用して画像を対象物上に投射するプロジェクタであるものとする。プロジェクタは、対象物に対して投射用画像を投射する。プロジェクタから対象物に投射された投射用画像は、当該対象物の表面において第１の画像を形成する。その際、対象物の表面の形状または位置等に応じて、投射用画像の形状は歪むこととなる。このため、投射用画像は、対象物の表面の形状または位置等に応じて、適切な第１の画像が対象物上に表示されるような画像として生成される。したがって、投射用画像と第１の画像とは必ずしもその形状又は大きさ等が一致するものではない。
また、以下の説明においては、一例として、対象物とは、プロジェクタにより投射用画像が投射される投射面を有する、建物の床であるものとする。なお、これは一例に過ぎず、対象物は、柱、壁または地面等でもよく、プロジェクタが投射用画像を投射することによって第１の画像が表示され得る表面を有する、あらゆる物体を含む。
また、想定される視認者は、プロジェクタの周辺にいる人であるとする。
【００１１】
実施の形態１に係る編集装置１を使用するユーザは、プロジェクタによって床に表示されている第１の画像に対応して、編集装置１が有する表示部１０１（後述する）に表示されている画像（以下「第２の画像」という。）を、タブレットＰＣを用いて編集することにより、床に表示している第１の画像を編集することができる。編集装置１は、当該ユーザが編集した第２の画像に基づいて、出力装置が第１の画像を表示するための出力画像を生成する。出力画像とは、出力装置が当該出力画像を出力した場合に、所望の第１の画像が視認者に視認可能に表示されるようにするためのものである。例えば、出力装置がプロジェクタである場合、編集装置１は、プロジェクタに投射させるための投射用画像を出力画像として生成する。編集装置１は、生成した投射用画像をプロジェクタに出力し、プロジェクタは投射用画像を床に対して投射することで、床に第１の画像を表示する。
ユーザがタブレットＰＣを用いて第１の画像を編集する際、タブレットＰＣが備える表示部には、第１の画像に対応する第２の画像が表示されており、ユーザは、床に実際に表示された第１の画像を見ながら、第２の画像をタブレットＰＣ上で自由に編集し、当該編集内容を、プロジェクタが表示している第１の画像に、リアルタイムで反映させることができる。
【００１２】
図１は、実施の形態１における編集システム１０００の構成例を示す図である。図１Ａは、実施の形態１における編集システム１０００の構成の一例を示す図であり、１台のタブレットＰＣ１００と１台のプロジェクタ２とが、有線で通信可能に接続された例を示している。図１Ｂは、実施の形態１における編集システム１０００の構成の他の例を示す図であり、１台のタブレットＰＣ１００と、複数台のプロジェクタ２とが、選択的に無線で通信可能に接続される例を示している。
タブレットＰＣ１００は、表示部１０１を備える。表示部１０１は、タッチパネル式のディスプレイである。
ユーザは、例えば、指で表示部１０１にタッチすることによって、第２の画像を編集する。編集装置１は、ユーザが表示部１０１をタッチして編集した第２の画像に基づき、投射用画像を生成してプロジェクタ２に出力し、プロジェクタ２は、投射用画像を床に対して投射する。
タブレットＰＣ１００とプロジェクタ２とは、有線、または、無線を問わず、何らかの手段で互いに通信可能に接続されている。
図１Ａには、１台のタブレットＰＣ１００と１台のプロジェクタ２とが、有線で通信可能に接続された例が示されている。
タブレットＰＣ１００とプロジェクタ２とは、Ｗｉｆｉ（登録商標）通信、または、Ｂｌｕｅｔｏｏｔｈ（登録商標）通信などを用いて、無線で通信可能に接続されるものでもよい。また、１台のタブレットＰＣ１００と、複数台のプロジェクタ２とが通信可能に接続されていてもよい。
図１Ｂには、１台のタブレットＰＣ１００が、３台のプロジェクタ２と、選択的に無線で通信可能に接続された例が示されている。
【００１３】
図２は、実施の形態１において、プロジェクタ２が表示する第１の画像の一例を示す図である。
図２は、第１の画像の一例として、エレベータを示す画像を示している。図２に示す複数の画像は、いずれもエレベータを示す画像であるが、線および背景色の色が互いに異なる（図２の２０１および２０２参照）画像、または、画像構成要素として、図形のみか、文字と図形とが組み合わされているかが互いに異なる（図２の２０２および２０３参照）画像である。
また、図２では、画像構成要素として、エレベータを示す図形と当該エレベータを示す文字とが組み合わされた画像の例を示したが（図２の２０３参照）、第１の画像は、例えば、ある場所を示す図形と矢印等の記号とが組み合わされたものでもよい。
【００１４】
また、第１の画像にアニメーションを付与して、第１の画像を動画とすることもできる。
図３は、実施の形態１において、アニメーションが付与された第１の画像の一例を示す図である。アニメーションとしては、例えば、スライドアニメーション、点滅アニメーション、または、多言語切り替えアニメーションが挙げられる。
図３Ａは、危険信号を示す図形に、点滅アニメーションが付与された第１の画像の一例を示している。図３Ｂは、「受付」を示す文字に、多言語切り替えアニメーションが付与された第１の画像の一例を示している。図３Ｃは、矢印を示す図形に、スライドアニメーションが付与された第１の画像の一例を示している。
【００１５】
画像構成要素に点滅アニメーションが付与されると、当該画像構成要素は、所定の時間間隔で点灯と消灯を繰り返す。所定の時間間隔については、例えば、初期状態として、画像構成要素が１秒間に１回の点灯と１回の消灯とを完了するサイクル（例えば、画像構成要素が０．５秒点灯した後、０．５秒消灯する）が設定されている。また、所定の時間間隔は、ユーザが適宜に編集可能なものとしてもよい。なお、図３Ａでは、画像構成要素が点灯している状態を示している。
【００１６】
画像構成要素に多言語切り替えアニメーションが付与されると、当該画像構成要素は、所定の時間間隔で、複数の言語のうち、いずれかの言語での表現から他の言語での表現に切り替わる。所定の時間間隔、および、言語が切り替わる順序については、例えば、初期状態として、それぞれの言語が２秒間ずつ順次表示されるような切り替えの態様（例えば、中国語２秒→日本語２秒→韓国語２秒の順で切り替え）が設定されている。また、所定の時間間隔は、ユーザが適宜に編集可能なものとしてもよい。また、言語が切り替わる順序は、ユーザが適宜に編集可能なものとしてもよい。なお、図３Ｂでは、「受付」を示す文字として、日本語の文字と英語の文字とを切り替え可能なアニメーションが付与された画像構成要素を示している。図３Ｂの左側が日本語で表現された画像構成要素、右側が英語で表現された画像構成要素であり、これらの画像構成要素が所定の時間間隔で切り替わるものである。
【００１７】
画像構成要素にスライドアニメーションが付与されると、当該画像構成要素は、第１の画像が表示される領域中の予め決められた始点から、予め決められた終点に向かって移動し、終点まで移動し終えたら、再び始点から終点に移動する動作を繰り返す。画像構成要素が動作を繰り返す時間間隔については、例えば、初期状態として、１秒間に１回のスライドアニメーションが始まりから終わりまで完了するサイクル（例えば、１秒間の間に画像構成要素が始点から終点に向かって移動する）で設定されている。また、画像構成要素が動作を繰り返す時間間隔については、ユーザが適宜に編集可能なものとしてもよい。なお、図３Ｃでは、画像構成要素は矢印を示す図形とし、２つの矢印を示すことで、当該矢印が移動している様子を表現しているが、実際には２つの矢印は、必ずしも同時に表示されるものではない。
図２および図３を用いて例示したように、第１の画像または第１の画像の画像構成要素は、種々の態様で、プロジェクタ２によって表示され得る。
【００１８】
図４は、実施の形態１に係る編集装置１の構成例を示す図である。また、図４には、実施の形態１に係る編集装置１と通信可能に接続されたプロジェクタ２の構成例も示されている。
編集装置１は、操作受付部１１と、表示制御部１２と、画像登録制御部１３と、操作制限部１４と、出力制御部１５と、画像データベース１６を備える。
操作受付部１１は、ユーザが行った各種操作に基づき、当該操作に対応する各種情報を受け付ける。以下、例えば「操作受付部１１が操作を受け付ける」と記載した場合、操作受付部１１が、操作に対応する各種情報を受け付けることを意味する。
例えば、操作受付部１１は、ユーザが表示部１０１をタッチして入力した、画像編集用画面の呼出操作を受け付ける。例えば、ユーザは、プロジェクタ２が床に表示している第１の画像の編集を行いたい場合、表示部１０１に表示された画像編集用画面呼出ボタンをタッチして、画像編集用画面の呼出操作を行い、画像編集用画面を呼び出す。
【００１９】
ここで、図５は、実施の形態１において、ユーザが表示部１０１をタッチして呼び出す、画像編集用画面のイメージの一例を説明するための図である。
画像編集用画面は、編集画像表示領域５０１と、画像一覧表示領域５０２と、編集機能表示領域５０３を有する。
編集画像表示領域５０１は、プロジェクタ２が床に表示している第１の画像に対応する第２の画像が表示される領域である。
画像一覧表示領域５０２は、画像データベース１６に記憶されている種々の画像構成要素が一覧表示される領域である。例えば、ユーザは、画像構成要素として複数種類の図形を予め作成しておき、画像データベース１６に、当該図形を、当該図形の分類毎に当該分類を特定する名称とともに記憶させている。また、例えば、ユーザは、画像構成要素として複数種類の写真データを予め入手しておき、画像データベース１６に、当該写真のデータを記憶させている。図５に示す一例では、画像一覧表示領域５０２には、画像データベース１６に記憶されているデータに基づき、アイコン図形の分類とその名称、および、写真フォルダが一覧表示されている。
編集機能表示領域５０３は、第２の画像の編集を行う際に使用される種々の編集機能が表示される領域である。種々の編集機能とは、具体的には、例えば、第２の画像の編集を行うために、文字の入力画面もしくはアニメーションの設定画面等を呼び出すための機能、または、表示する文字の種類もしくは画像構成要素に付与するアニメーションの種類を選択する機能等である。
画像一覧表示領域５０２と、編集機能表示領域５０３は、編集用部品である。編集用部品とは、編集画像表示領域５０１に表示された第２の画像を編集するために、画像編集用画面において表示される各種の部品である。言い換えれば、編集用部品とは、画像編集用画面において表示される内容のうち、第１の画像に対応する第２の画像以外の内容である。編集用部品には、画像一覧表示領域５０２と編集機能表示領域５０３の他、後述する、画像一覧表示画面、スライドアニメーションの度合いを指定するための操作ボタン、枠、カラーチャート、または、輝度調整画面等、種々の内容が含まれる。
【００２０】
なお、図５に示す、各領域の配置は、一例に過ぎず、画像編集用画面において、少なくとも、編集画像表示領域５０１が設けられていればよい。また、例えば、画像編集用画面が、編集画像表示領域５０１と画像一覧表示領域５０２と編集機能表示領域５０３を有する場合、編集画像表示領域５０１が、画像一覧表示領域５０２および編集機能表示領域５０３よりも大きいことが望ましい。
ユーザは、図５で示したような画像編集用画面を呼び出し、当該画像編集用画面から、第２の画像の編集を行うことで、プロジェクタ２が表示している第１の画像の編集をリアルタイムで行うことができる。
操作受付部１１は、画像編集用画面の呼出操作以外にも、ユーザが表示部１０１を操作して入力した各種画面の呼出操作を受け付ける。操作受付部１１は、受け付けた各種画面の呼出操作の情報を、表示制御部１２に出力する。
【００２１】
また、例えば、操作受付部１１は、編集画像表示領域５０１に表示されている第２の画像について、ユーザから、当該第２の画像を構成する各画像構成要素の選択操作を受け付ける。ユーザは、表示部１０１に表示された編集用画像を構成する各画像構成要素のうち、編集したい画像構成要素をタッチすることにより、編集対象となる画像構成要素を選択する。操作受付部１１は、ユーザによって選択された画像構成要素を特定するための情報を受け付ける。操作受付部１１は、受け付けた画像構成要素を特定するための情報を、表示制御部１２に出力する。
【００２２】
また、例えば、操作受付部１１は、画像編集用画面の編集画像表示領域５０１に表示された第２の画像を構成する画像構成要素のうち、ユーザにより選択された画像構成要素について行われる編集操作を受け付けるとともに、編集後の当該画像構成要素の属性情報を表示制御部１２に出力する。
ユーザは、編集画像表示領域５０１に第２の画像を表示させ、例えば、表示部１０１を操作して、所望の画像構成要素を選択し、当該画像構成要素の位置の編集、当該画像構成要素の大きさもしくは向きを含む形状の編集、当該画像構成要素の色の編集、当該画像構成要素の輝度の編集、当該画像構成要素に付与されたアニメーションの編集、当該画像構成要素の削除、または、当該画像構成要素の追加等の画像構成要素の編集操作を行う。操作受付部１１は、ユーザが各画像構成要素に対して行う編集操作を受け付ける。また、操作受付部１１は、ユーザが各画像構成要素の編集を行った後に編集画像表示領域５０１に表示されている第２の画像について、当該第２の画像を構成する各画像構成要素の属性情報を表示制御部１２に出力する。属性情報とは、編集画像表示領域５０１に表示している第２の画像を構成する各画像構成要素に関する情報であり、当該画像構成要素の位置、形状、色、輝度、または、付与されたアニメーション等を示す情報である。
【００２３】
表示制御部１２は、表示部１０１への各種情報の表示を制御する。
例えば、表示制御部１２は、操作受付部１１から出力された画面呼出操作の情報に基づき、表示部１０１に各種画面を表示させる。例えば、操作受付部１１から、画像編集用画面の呼出操作の情報が出力された場合、表示制御部１２は、表示部１０１に、図５に示したような画像編集用画面の表示を実行させる。
また、例えば、表示制御部１２は、第２の画像を編集する際に使用する編集用部品を表示させる。詳細は後述する。
また、例えば、表示制御部１２は、操作受付部１１から出力された、ユーザによって選択された画像構成要素を特定するための情報、および、画像構成要素の属性情報に基づき、表示部１０１に、編集画像表示領域５０１への第２の画像の表示を行わせる。
また、表示制御部１２は、編集画像表示領域５０１に表示している第２の画像の情報を、出力制御部１５に出力する。具体的には、表示制御部１２は、例えば、編集画像表示領域５０１に表示している第２の画像を構成する各画像構成要素を特定するための情報、および、各画像構成要素の属性情報を、出力制御部１５に出力する。
【００２４】
画像登録制御部１３は、ユーザの操作によって、新たに画像構成要素が作成された場合、操作受付部１１からの、当該画像構成要素の登録操作の情報に基づき、新たに作成された画像構成要素を、画像データベース１６に追加する。
なお、編集装置１は、画像データベース１６へ新たな画像構成要素を追加する機能を有することを必須としない。
【００２５】
操作制限部１４は、操作受付部１１が受け付けた編集操作に応じて、当該操作受付部１１の動作を制限する。
具体的には、例えば、ユーザが、第２の画像中のある画像構成要素を削除するために、当該画像構成要素を現在の表示位置から編集画像表示領域５０１外の位置まで移動するような編集操作を行った場合、操作制限部１４は、当該画像構成要素が編集画像表示領域５０１の端部まで移動された後は、操作受付部１１がそれ以上当該画像構成要素を移動する編集操作を受け付けないように、一旦、制限する。なお、ユーザは、第２の画像中の画像構成要素を削除する場合、編集画像表示領域５０１に表示されている画像構成要素を指でタッチしたまま、当該指を編集画像表示領域５０１外までスライドさせることで、当該画像構成要素を編集画像表示領域５０１外まで移動し、当該画像構成要素を削除できる。操作制限部１４は、画像構成要素を削除するような編集操作に対し、上記のように、一旦、操作受付部１１による編集操作の受付を制限することで、ユーザの誤操作による画像構成要素の削除を防ぐことができる。
また、例えば、操作制限部１４は、操作受付部１１が、ユーザが表示部１０１を指でタッチした点を１点検出したのか２点検出したのかの判断が困難と判定した場合、操作受付部１１に対して、当該タッチによる編集操作の受付をキャンセルさせる。または、同様の場合において、操作制限部１４は、操作受付部１１に対して、ユーザが表示部１０１をタッチした点を１点として、当該タッチによる編集操作を受け付けさせる。なお、操作受付部１１は、例えば、タッチを検出した面積に基づき、タッチされた点の検出が困難かどうか判定し、判定結果を操作制限部１４に出力するようにする。操作制限部１４は、タッチ点の数の判断が困難な場合、上記のように編集操作の受付を制限するか、または、より単純な操作として受け付けることで、ユーザの誤操作を防ぐことができる。
操作制限部１４は、操作受付部１１による操作受付を制限した場合、当該操作受付を制限した旨を示す情報を表示制御部１２に出力する。
【００２６】
出力制御部１５は、プロジェクタ２に、第１の画像の表示を実行させる。
具体的には、出力制御部１５は、第１の画像が表示される対象物の表面の形状または位置等と、編集後の第２の画像とに基づき、第２の画像に対応する第１の画像が、視認者に視認可能に対象物上に表示されるような投射用画像を生成する。第１の画像が表示される対象物の表面の形状または位置等は、例えば、プロジェクタ２が設置される際に、予め取得され、編集装置１が参照可能な適宜の図示しない記憶装置に記憶されている。
出力制御部１５は、生成した投射用画像を、プロジェクタ２に出力し、プロジェクタ２に、投射用画像の床への投射を実行させる。プロジェクタ２が投射用画像を床に投射することで、床には、第２の画像と同様な形状を有し、視認者が視認可能な第１の画像が表示される。
出力制御部１５が投射用画像を生成する際、編集画像表示領域５０１に表示されている編集用部品は使用されない。このため、出力制御部１５が、プロジェクタ２に第１の画像の表示を実行させる場合、画像編集用画面に表示されている編集用部品は表示させないこととなる。
【００２７】
また、出力制御部１５は、操作受付部１１から、プロジェクタ２への第２の画像の登録操作を受け付けると、編集画像表示領域５０１に表示している第２の画像を構成する各画像構成要素を特定するための情報、および、各画像構成要素の属性情報を、プロジェクタ２に出力するものとしてもよい。操作受付部１１は、プロジェクタ２への第２の画像の登録操作を受け付ける際、登録対象となる当該第２の画像を特定する名称も受け付け、当該名称を示す情報をプロジェクタ２に出力するものとしてもよい。当該名称は、ユーザが表示部１０１を操作することにより、入力可能なものとする。
また、操作受付部１１は、プロジェクタ２への第２の画像の登録操作を受け付ける際、当該第２の画像に基づく第１の画像の表示をプロジェクタ２が開始する条件（以下「表示トリガ」という。）を示す情報も受け付け、当該表示トリガを示す情報をプロジェクタ２に出力するものとしてもよい。
表示トリガの一例は、時刻または日付等を条件とするものである。例えば、表示トリガは、時刻が午前０時になると、プロジェクタ２が、ある第１の画像の表示を開始し、時刻が午後０時になると、プロジェクタ２が、他の第１の画像を表示するような条件として設定されうる。また、例えば、表示トリガは、日付が第１の日付になると、プロジェクタ２が、ある第１の画像の表示を開始し、日付が第２の日付になると、プロジェクタ２が、他の第１の画像を表示するような条件として、設定されうる。
表示トリガの他の例は、建物内設備の運行情報を条件とするものである。建物内設備とは、例えば、セキュリティゲート、エレベータ、エスカレータ、または、駅ホーム柵である。例えば、表示トリガは、セキュリティゲートが、セキュリティ上問題のある状況を検出した場合に、プロジェクタ２が、警告を示す点滅アニメーションによる第１の画像の表示を開始するような条件として、設定されうる。また、例えば、表示トリガは、プロジェクタ２がある第１の画像を表示中に、エレベータのカゴが当該プロジェクタ２の設置された階床に到着する直前になると、当該プロジェクタ２が、当該ある第１の画像と表示方向の異なる他の第１の画像の表示を開始するような条件として、設定されうる。また、例えば、表示トリガは、エスカレータが周囲に人がいない場合に減速または停止するものの場合に、エスカレータの速度が変更されると、プロジェクタ２が、第１の画像として表示中のエスカレータの上り下りを伝える矢印について、当該矢印のアニメーション速度を変更した第１の画像の表示を開始するような条件として、設定されうる。また、例えば、表示トリガは、列車の運行情報に応じて、プロジェクタ２が、適切な列車の停車位置、または、適切な駅ホームドアの開閉位置を示す第１の画像の表示を開始するような条件として、設定されうる。
表示トリガのさらに他の例は、ビルマネジメントシステムからの情報を条件とするものである。ビルマネジメントシステムからの情報とは、例えば、建物に設置されたセンサからの情報、または、建物に設置された監視カメラからの情報である。例えば、表示トリガは、ビルマネジメントシステムが検出した人の混雑状態に応じて、プロジェクタ２が、適切な人流の誘導方向を示す第１の画像の表示を開始するような条件として、設定されうる。また、例えば、表示トリガは、ビルマネジメントシステムが検出した人の属性に応じて、プロジェクタ２が適切な通路のエリア分けを示す第１の画像の表示を開始する条件として、設定されうる。
表示トリガのさらに他の例は、個人認証媒体から取得された情報を条件とするものである。個人認証媒体とは、個人が所有するスマートフォン、または、カード等である。例えば、表示トリガは、ホテルにおいて、あるユーザが保持するルームカードの情報が適宜の読取装置等で取得されると、当該情報に応じて、プロジェクタ２が、当該ユーザを部屋まで案内する経路を示す第１の画像の表示を開始するような条件として、設定されうる。また、例えば、表示トリガは、個人認証媒体から、当該媒体を保持するユーザの国籍を示す情報が取得されると、プロジェクタ２が、当該国籍に応じた言語による文字が示された第１の画像の表示を開始するような条件として、設定されうる。
表示トリガのさらに他の例は、プロジェクタ２による表示を見せる対象となる者と、プロジェクタ２との間の距離を条件とするものである。例えば、表示トリガは、プロジェクタ２による表示を見せる対象となる者と、プロジェクタ２との間の距離に応じて、プロジェクタ２が、適切な縦横比、または、大きさの第１の画像の表示を開始するような条件として、設定されうる。
【００２８】
プロジェクタ２が備える制御部２１（後述する。以下「プロジェクタ制御部２１」という。）は、プロジェクタ２が、登録対象の第２の画像について、出力制御部１５から出力された、当該第２の画像を構成する画像構成要素を特定する情報、各画像構成要素の属性情報、当該第２の画像の名称を示す情報、または、表示トリガを示す情報を受け取ると、これらの情報を、当該第２の画像に基づく投射用画像と関連付けて、プロジェクタ２が備える画像データベース２２（後述する。以下「プロジェクタ側画像データベース２２」という。）に登録する。
図１Ｂに示したように、１台のタブレットＰＣ１００に対して、複数台のプロジェクタ２が選択的に接続可能となっている場合、当該タブレットＰＣ１００は、当該複数台のプロジェクタ２のうちの一部である、１台または複数台のプロジェクタ２が表示している第１の画像を編集するために、当該１台または複数台のプロジェクタ２と接続される。この場合、タブレットＰＣ１００と接続されていないプロジェクタ２は、当該タブレットＰＣ１００からは、例えば、編集後の第２の画像に基づく投射用画像を取得することができない。しかし、上記のように、出力制御部１５から出力される、第２の画像の情報等の各種情報がプロジェクタ側画像データベース２２に登録されていれば、各プロジェクタ２は、タブレットＰＣ１００と接続されていない状態でも、プロジェクタ側画像データベース２２に登録された各種情報に基づき、第２の画像に相当する第１の画像の表示を行うことが可能となる。また、上記のように、出力制御部１５から出力される各種情報がプロジェクタ側画像データベース２２に登録されていれば、タブレットＰＣ１００を所望のプロジェクタ２と通信可能に接続することによって、ユーザは、表示部１０１を操作して、プロジェクタ側画像データベース２２に登録された第２の画像の情報を呼び出した後、当該プロジェクタ２が表示している第１の画像の編集を行うことが可能となる。また、上記のように、出力制御部１５から出力される各種情報がプロジェクタ側画像データベース２２に登録されていれば、ユーザは、タブレットＰＣ１００をあるプロジェクタ２と通信可能に接続して、第２の画像の情報を呼び出した後、タブレットＰＣ１００を他のプロジェクタ２と通信可能に接続することで、当該第２の画像の情報に基づき、当該他のプロジェクタ２に第１の画像の表示を行わせることもできる。
【００２９】
画像データベース１６は、画像構成要素を記憶する。画像データベース１６は、例えば、画像構成要素を、予め設定された分類毎の階層構造で記憶するとともに、各分類の名称を記憶している。実施の形態１では、図４に示すように、画像データベース１６は、編集装置１に備えられるものとするが、これに限らず、画像データベース１６は、編集装置１の外部の、編集装置１が参照可能な場所に備えられるようにしてもよい。
【００３０】
プロジェクタ２は、プロジェクタ制御部２１と、プロジェクタ側画像データベース２２を備える。
プロジェクタ制御部２１は、プロジェクタ２の機能全般を制御する。プロジェクタ制御部２１は、例えば、編集装置１から出力された投射用画像を取得すると、プロジェクタ２が有する図示しない投射部を制御して、投射用画像の投射を行わせる。また、プロジェクタ制御部２１は、例えば、ユーザが図示しない操作部を使用して入力した、第２の画像の名称を含む指示を受け付けると、プロジェクタ側画像データベース２２から、当該第２の画像の名称に関連付けられた投射用画像を取得し、上述の投射部を制御して、当該投射用画像の投射を行わせる。また、プロジェクタ制御部２１は、出力制御部１５から、登録対象の第２の画像を構成する画像構成要素を特定する情報、各画像構成要素の属性情報、当該第２の画像の名称を示す情報、または、表示トリガを示す情報を受け取ると、これらの情報を、当該第２の画像に基づく投射用画像と関連付けて、プロジェクタ側画像データベース２２に登録する。
プロジェクタ側画像データベース２２は、登録対象の第２の画像を構成する画像構成要素を特定する情報、各画像構成要素の属性情報、第２の画像の名称を示す情報、表示トリガを示す情報、または、第２の画像に基づく投射用画像を記憶する。
【００３１】
次に、ユーザが、実施の形態１に係る編集装置１を利用して、プロジェクタ２が表示している第１の画像を編集する際の編集装置１の具体的な動作について説明する。
なお、以下の説明では、一例として、第１の画像は、画像構成要素として、トイレを示す図形と矢印を示す図形とが組み合わされた画像とする。
【００３２】
図６は、ユーザが、実施の形態１に係る編集装置１を利用して、プロジェクタ２が表示している第１の画像を編集する際の動作について説明するためのフローチャートである。
操作受付部１１は、画像編集用画面の呼出操作を受け付ける（ステップＳＴ６０１）。具体的には、ユーザが、例えば、表示部１０１を指でタッチし、画像編集用画面の呼出操作を行う。すなわち、当該画像編集用画面の呼出操作は、プロジェクタ２が床に表示している第１の画像の編集を開始する編集開始指示となる。操作受付部１１は、ユーザが入力した呼出操作を受け付ける。
操作受付部１１は、受け付けた、画像編集用画面の呼出操作の情報を、表示制御部１２に出力する。
【００３３】
表示制御部１２は、表示部１０１に、画像編集用画面の表示を実行させる（ステップＳＴ６０２）。
【００３４】
編集装置１は、ユーザによる表示部１０１の操作に基づき第２の画像を編集する編集処理を行う（ステップＳＴ６０３）。
【００３５】
（１）画像構成要素の追加
ステップＳＴ６０３の編集処理において、まず、ユーザは、表示部１０１を操作し、プロジェクタ２に第１の画像を表示させる。すなわち、編集装置１が、ユーザによる表示部１０１の操作に基づき、プロジェクタに、第１の画像の表示を実行させる。
編集処理においては、具体的には、ユーザが表示部１０１をタッチする等して、画像編集用画面上で第２の画像を編集し、編集装置１は、プロジェクタ２に編集後の当該第２の画像に対応する第１の画像の表示を実行させる。以下、詳細に説明する。
以下の説明では、一例として、ユーザは、画像構成要素が何もない空白の状態の第２の画像を編集し、トイレを示す図形（以下「トイレアイコン」という。）と、矢印を示す図形（以下「矢印図形」という。）とを組み合わせた新たな第２の画像を作成し、当該第２の画像に対応する第１の画像の表示を、プロジェクタ２に実行させるものとする。
【００３６】
操作受付部１１は、画像構成要素の選択を受け付け、表示制御部１２は、編集画像表示領域５０１に、受け付けた画像構成要素を表示させる。具体的には、ユーザが、例えば、表示部１０１を指でタッチし、プロジェクタ２に表示させたい第１の画像を構成するための画像構成要素を選択する。
ユーザが、画像構成要素を選択する方法は、いくつか挙げられる。
例えば、ユーザは、画像編集用画面に表示された「追加」ボタン（図示省略）をタッチする等し、画像構成要素の追加操作を行う。操作受付部１１は、画像構成要素の追加操作を受け付け、受け付けた画像構成要素の追加操作の情報を表示制御部１２に出力する。表示制御部１２は、画像編集用画面の画像一覧表示領域５０２に、画像データベース１６に記憶されている複数種類の画像構成要素の階層に基づき、各分類に含まれる画像構成要素を表示させる（図７の７０１参照）。ユーザは、表示された画像一覧表示領域５０２を確認し、所望の分類を指でタッチすることで、トイレアイコンが含まれる分類を選択する。操作受付部１１は、当該分類の選択操作を受け付け、受け付けた分類を特定する情報を表示制御部１２に出力する。表示制御部１２は、操作受付部１１から出力された分類に含まれる画像構成要素を一覧表示させた画像一覧表示画面（図７の７０２参照）を、画像編集用画面に重畳表示させる。ユーザは、表示された画像構成要素の一覧から、トイレアイコンを指でタッチして選択し、タッチした指をスライドさせて、当該トイレアイコンを編集画像表示領域５０１まで移動させる。操作受付部１１は、ユーザがトイレアイコンを移動させるスライド操作を受け付け、表示制御部１２は、当該スライド操作に応じて、トイレアイコンを編集画像表示領域５０１に表示させる（図７の７０３参照）。また、ユーザは、編集機能表示領域５０３に表示されている「矢印」ボタン（図７の７０４参照）をタッチすることで、矢印図形を選択する。操作受付部１１は、矢印図形の選択を受け付け、表示制御部１２が、矢印図形を、編集画像表示領域５０１に表示させる（図７の７０５参照）。なお、表示制御部１２は、例えば、編集画像表示領域５０１の適宜の位置に、矢印図形を表示させる。具体的には、例えば、ユーザは、矢印図形をタッチし、タッチした指を編集画像表示領域５０１の任意の位置にスライドさせる。操作受付部１１は、当該スライド操作を受け付け、表示制御部１２に出力する。表示制御部１２は、編集画像表示領域５０１においてユーザがスライド操作を終了した位置に、矢印図形を表示させる（図７の７０５参照）。なお、図７では、矢印図形は、スライドアニメーションが付与された矢印図形としている。このとき、画像編集用画面に表示される、画像一覧表示画面およびスライドアニメーションの度合いを指定するための操作ボタンは、編集用部品である。
このように、ユーザは、第２の画像に画像構成要素を追加し、編集画像表示領域５０１に表示させる。
【００３７】
また、例えば、ユーザは、画像編集用画面から、図８に示すような、画像選択用画面の呼出指示を入力し、当該画像選択用画面に切り替えて表示させるようにしてもよい。具体的には、ユーザは、例えば、画像編集用画面に表示されている、画像選択用画面呼出指示（図示省略）をタッチすることで、画像選択用画面の呼出操作を行う。操作受付部１１は、画像選択用画面の呼出操作を受け付け、表示制御部１２が、画像選択用画面に、表示を切り替える。画像選択用画面には、予め設定された画像構成要素の組み合わせにより構成された画像が表示される。予め設定されたこれらの画像は、例えば、画像データベース１６に記憶されている。具体的には、例えば、図８に示すように、トイレアイコンと矢印図形とが組み合わされた画像が表示される。ユーザは、画像選択用画面から、所望の画像（ここでは、トイレアイコンと矢印図形とが組み合わされた画像）をタッチして選択し、操作受付部１１が、選択された画像を受け付ける。そして、表示制御部１２が、選択された画像を、第２の画像として、画像編集用画面の編集画像表示領域５０１の適宜の位置に表示させる。このとき、表示制御部１２は、画像選択用画面から、再び、画像編集用画面に切り替える。
このように、ユーザは、画像選択用画面から、既存の第２の画像を選択し、編集画像表示領域５０１上に表示させることもできる。
【００３８】
また、例えば、ユーザは、画像編集用画面において、編集画像表示領域５０１を指でなぞり、自由に画像構成要素を作成して、第２の画像に追加することができる。具体的には、ユーザは、編集画像表示領域５０１を指でなぞって、トイレアイコンと矢印図形とからなる画像構成要素を描画する。
ここでは、画像構成要素を図形としているが、画像構成要素は文字列とし、ユーザは、例えば、キーボード操作または音声入力操作によって、文字列としての画像構成要素を入力することもできる。具体的には、ユーザは、キーボード画面の呼出操作を行い、表示制御部１２がキーボード画面を表示させる。ユーザは、キーボード画面をタッチして文字列を入力し、操作受付部１１が、入力された文字列を受け付ける。例えば、入力可能な最大文字数が予め設定されるようにしてもよい。例えば、編集装置１が多言語に対応した翻訳機能を有する翻訳部（図示省略）を備えるようにし、翻訳部が、入力された文字列を他言語に翻訳し、表示制御部１２は、翻訳された文字列を編集画像表示領域５０１に追加して表示させるようにしてもよい。
【００３９】
また、例えば、ユーザは、編集装置１が備えているマイク（図示省略）に音声を入力することで、音声情報に基づく文字列からなる画像構成要素を作成することもできる。この場合も、翻訳部が、入力された音声に基づく音声情報を他言語に翻訳し、表示制御部１２は、翻訳された音声情報に基づく文字列を編集画像表示領域５０１に追加して表示させるようにしてもよい。
このように、ユーザは、適宜の方法で作成した画像構成要素を、第２の画像に追加することができる。また、ユーザは、新たな画像構成要素を作成した場合、当該新たに作成した画像構成要素を、画像データベース１６に登録させることもできる。具体的には、ユーザは、画像編集用画面に表示されている「登録」ボタン（図示省略）をタッチして、登録操作を行う。操作受付部１１は、登録操作を受け付け、画像登録制御部１３に出力する。画像登録制御部１３は、編集画像表示領域５０１に新たに追加された画像構成要素を、画像データベース１６に登録する。なお、ユーザは、登録操作を行う際に、例えば、画像構成要素の分類もあわせて入力するようにしておき、画像登録制御部１３は、画像構成要素を追加する際に、入力された分類に当該画像構成要素を追加するようにする。また、上述のように、キーボードから入力された文字列または音声情報に基づく文字列を翻訳して画像構成要素を作成した場合、ユーザは、翻訳前の文字列を、画像構成要素として画像データベース１６に登録させることもできる。
【００４０】
表示制御部１２は、編集画像表示領域５０１に表示している第２の画像の情報を、出力制御部１５に出力する。
出力制御部１５は、表示制御部１２から出力された第２の画像に基づき、第２の画像に対応する第１の画像が、視認者に視認可能に対象物上に表示されるような投射用画像を生成する。出力制御部１５は、生成した投射用画像を、プロジェクタ２に出力し、プロジェクタ２に、投射用画像の床への投射を実行させる。プロジェクタ２が投射用画像を床に投射することで、床には、第２の画像と同様な形状を有し、視認者が視認可能な第１の画像が表示される。
出力制御部１５が投射用画像を生成する際、画像編集用画面に表示されている編集用部品は使用されない。このため、出力制御部１５が、プロジェクタ２に第１の画像の表示を実行させる場合、画像編集用画面に表示されている編集用部品は表示させないこととなる。すなわち、画像一覧表示画面等は、床に表示されることはない。
これにより、ユーザがタブレットＰＣ１００上で編集した第２の画像に基づき、第１の画像がプロジェクタ２によって対象物上に表示される。
【００４１】
「（１）画像構成要素の追加」で説明した操作により、第１の画像をプロジェクタ２が表示した状態で、さらに、ユーザは、画像編集用画面の編集画像表示領域５０１に表示された第２の画像を適宜編集する。具体的には、ユーザは、画像編集用画面をタッチして、第２の画像を構成するいずれかの画像構成要素を選択し、当該画像構成要素の編集を行う。操作受付部１１は、画像構成要素の選択、および、選択された画像構成要素の編集操作受け付けるとともに、編集後の当該画像構成要素の属性情報を表示制御部１２に出力し、表示制御部１２は、編集後の画像構成要素から構成される第２の画像を編集画像表示領域５０１に表示させる。このとき、表示制御部１２は、編集用部品を、画像構成要素に重畳させて表示させる。
また、表示制御部１２は、第２の画像を編集画像表示領域５０１に表示させるとともに、第２の画像の情報を、出力制御部１５に出力する。出力制御部１５は、第２の画像に基づき投射用画像を生成し、生成した投射用画像をプロジェクタ２に出力し、プロジェクタ２に、投射用画像の床への投射を実行させる。プロジェクタ２に投射用画像の投射を実行させることで、ユーザから指示された編集内容を、プロジェクタ２が対象物上に表示している第１の画像に反映させる。以下、いくつか例を挙げて説明する。
【００４２】
なお、編集装置１は、ユーザが表示部１０１を操作して第２の画像を編集し始めると、随時、編集された第２の画像に基づく第１の画像の表示を、プロジェクタ２に実行させ続ける。
【００４３】
（２）画像構成要素の形状の編集
ユーザは、画像編集用画面の編集画像表示領域５０１に表示している第２の画像を構成する各画像構成要素について、大きさまたは向きを含む形状を編集することができる。ユーザは、画像編集用画面上で、第２の画像を構成する画像構成要素を編集することで、当該編集内容を第１の画像に反映させる。
具体的には、ユーザは、まず、編集画像表示領域５０１に表示している第２の画像を構成する画像構成要素のうち、編集の対象とする画像構成要素をタッチして選択する。例えば、ユーザは、トイレアイコンと矢印図形のうち、トイレアイコンを選択する。ユーザは、例えば、画像構成要素の中央付近を１本の指でタッチすることで、画像構成要素を選択する。実施の形態１において、画像構成要素の中央付近とは、例えば、画像構成要素の中心点を含む、当該画像構成要素全体の面積に対して略５０％の面積の範囲内をいう。画像構成要素の中央付近は、例えば、画像構成要素の中心点から、円形に設定されるようになっていてもよい。
また、編集装置１は、ユーザが、例えば、画像構成要素の中央付近を１本の指で、画像構成要素の端部を他の１本の指で、それぞれタッチすることで、画像構成要素を選択できるように構成されてもよい。
【００４４】
操作受付部１１は、画像構成要素の選択を受け付け、選択された画像構成要素を特定するための情報を、表示制御部１２に出力する。表示制御部１２は、選択された画像構成要素を特定する情報が出力されると、当該選択された画像構成要素の周囲に枠を表示させる。当該枠は、編集用部品である。表示制御部１２は、画像構成要素と枠とを重畳表示させる。例えば、操作受付部１１が、トイレアイコンの選択を受け付けたとすると、表示制御部１２は、トイレアイコンの周囲に枠を重畳表示させる。
表示制御部１２が枠を表示させることで、ユーザは、編集の対象とする画像構成要素がどれであるかを、ディスプレイを凝視しなくても瞬時に把握することができる。
【００４５】
ユーザは、画像構成要素を選択すると、例えば、当該画像構成要素の大きさを編集する。
具体的には、ユーザは、例えば、２本の指でタッチすることで画像構成要素を選択した場合、タッチしている２本の指を広げることで、画像構成要素の大きさを大きくする。また、逆に、例えば、ユーザは、タッチしている２本の指を狭めることで、画像構成要素の大きさを小さくする。
図９は、実施の形態１において、ユーザが、２本の指でタッチすることで、画像構成要素の大きさを編集する動作のイメージの一例を示す図である。なお、図９において、画像構成要素が選択されていることを示す枠を、９０１で示している。
【００４６】
操作受付部１１は、大きさが編集された後の画像構成要素の属性情報を、表示制御部１２に出力する。表示制御部１２は、属性情報に基づき、編集画像表示領域５０１に表示させている画像構成要素の大きさを大きくする、または、小さくするとともに、当該画像構成要素の大きさを編集した後の第２の画像の情報を出力制御部１５に出力する。
【００４７】
出力制御部１５は、表示制御部１２から出力された編集後の第２の画像の情報に基づき、プロジェクタ２に、第１の画像の表示を実行させる。ただし、出力制御部１５は、編集用部品については、投射させない。すなわち、枠９０１は、投射されない。
これにより、プロジェクタ２が対象物上に表示している第１の画像がリアルタイムで編集される。また、第１の画像を視認する視認者および第１の画像を視認しながら編集中のユーザにとって必要のない、編集用部品は、プロジェクタ２による表示が行われないため、視認者等が第１の画像を見づらくなることを防ぐことができる。
【００４８】
また、ユーザは、画像構成要素を選択すると、例えば、当該画像構成要素の向きを編集することもできる。
具体的には、ユーザは、例えば、１本の指で画像構成要素の端部にタッチして画像構成要素を選択した場合、タッチしている１本の指をスライドさせることで、画像構成要素の向きを変更する。
図１０は、実施の形態１において、ユーザが、１本の指をスライトさせることで、画像構成要素の向きを編集する動作のイメージの一例を示す図である。なお、図１０において、画像構成要素が選択されていることを示す枠を、１００１で図示している。
操作受付部１１は、スライドされた指によって編集された画像構成要素の属性情報を、表示制御部１２に出力する。表示制御部１２は、属性情報に基づき、編集画像表示領域５０１に表示させている画像構成要素の向きを変更させるとともに、当該画像構成要素の向きを変更した後の第２の画像の情報を出力制御部１５に出力する。
【００４９】
出力制御部１５は、表示制御部１２から出力された編集後の第２の画像の情報に基づき、プロジェクタ２に、第１の画像の表示を実行させる。ただし、出力制御部１５は、編集用部品については、表示させない。すなわち、枠１００１は、表示されない。
これにより、プロジェクタ２が対象物上に表示している第１の画像がリアルタイムで編集される。また、第１の画像を視認する視認者および第１の画像を視認しながら編集中のユーザにとって必要のない、編集用部品は、プロジェクタ２による表示が行われないため、視認者等が第１の画像を見づらくなることを防ぐことができる。
【００５０】
（３）画像構成要素の色の編集
ユーザは、画像編集用画面の編集画像表示領域５０１に表示している第２の画像について、色を編集することもできる。ユーザは、第２の画像を編集することで、当該編集内容を第１の画像に反映させる。
編集する色には、例えば、第２の画像を構成する各画像構成要素自体の色、または、第２の画像の背景の色が含まれる。なお、第２の画像を構成する各画像構成要素には、初期値として、予め決められた色が設定されているものとする。また、画像編集用画面上は、画像構成要素の背景または第２の画像の背景は、初期値として黒色で表示されるように設定されているものとする（図５参照）。なお、第２の画像の背景が、初期値として黒色に設定されている場合、プロジェクタ２が表示する第１の図形における背景の色の初期値は、例えば、透明とされる。
ユーザは、まず、画像構成要素をタッチして選択する。具体的な動作は、「（２）画像構成要素の形状の編集」で説明した具体的な動作と同様であるため、重複した説明を省略する。
【００５１】
ユーザは、画像構成要素を選択すると、当該画像構成要素の色を編集する。
具体的には、ユーザは、例えば、編集機能表示領域５０３に表示されている「色」ボタン（図５参照）を指でタッチすることで、編集用部品としてカラーチャートを表示させるカラーチャート表示操作を行う。操作受付部１１は、カラーチャート表示操作を受け付け、表示制御部１２に出力する。表示制御部１２は、カラーチャートを、画像編集用画面に重畳表示させる。ユーザは、画像編集用画面に重畳表示されたカラーチャートにおいて、所望の色をタッチして、選択した画像構成要素の色を変更する。操作受付部１１は、色が変更された後の画像構成要素の属性情報を受け付け、表示制御部１２に出力する。表示制御部１２は、属性情報に基づき、編集画像表示領域５０１に表示させている画像構成要素の色を変更するとともに、当該画像構成要素の色を変更した後の第２の画像の情報を出力制御部１５に出力する。
【００５２】
出力制御部１５は、表示制御部１２から出力された編集後の第２の画像の情報に基づき、プロジェクタ２に、第１の画像の表示を実行させる。ただし、出力制御部１５は、編集用部品については、表示させない。すなわち、カラーチャートは、表示されない。
これにより、プロジェクタ２が対象物上に表示している第１の画像がリアルタイムで編集される。また、第１の画像を視認する視認者および第１の画像を視認しながら編集中のユーザにとって必要のない、編集用部品は、プロジェクタ２による表示が行われないため、視認者等が第１の画像を見づらくなることを防ぐことができる。
【００５３】
（４）画像構成要素の輝度の編集
ユーザは、画像編集用画面の編集画像表示領域５０１に表示している第２の画像について、輝度を編集することもできる。ユーザは、第２の画像を編集することで、当該編集内容を第１の画像に反映させる。
ユーザは、まず、画像構成要素をタッチして選択する。具体的な動作は、「（２）画像構成要素の形状の編集」で説明した具体的な動作と同様であるため、重複した説明を省略する。
なお、ユーザは、第２の画像全体の輝度を編集することも可能であるし、第２の画像の一部分の輝度を編集することも可能である。第２の画像の一部分の輝度を編集する場合は、ユーザは、例えば、輝度を編集したい部分を指でなぞる等する。操作受付部１１は、ユーザの指でなぞられた部分の情報を受け付け、表示制御部１２に出力する。表示制御部１２は、例えば、ユーザの指でなぞられた部分を囲む枠を表示させる。これにより、部分的に第２の画像の輝度を編集する際、ユーザは、画像編集用画面を確認すれば、第２の画像のどの部分が編集対象となっているかを瞬時に把握することができる。
【００５４】
ユーザは、画像構成要素を選択すると、当該画像構成要素の輝度を編集する。
具体的には、ユーザは、例えば、編集機能表示領域５０３に表示されている「輝度」ボタン（図示省略）を指でタッチすることで、編集用部品として輝度調整画面を表示させる輝度調整画面表示操作を行う。操作受付部１１は、輝度調整画面表示操作を受け付け、表示制御部１２に出力する。表示制御部１２は、輝度調整画面を、画像編集用画面に重畳表示させる。ユーザは、画像編集用画面に重畳表示された輝度調整画面において、所望の輝度をタッチして、選択した画像構成要素の輝度を変更する。操作受付部１１は、輝度が変更された後の画像構成要素の属性情報を受け付け、表示制御部１２に出力する。表示制御部１２は、属性情報に基づき、編集画像表示領域５０１に表示させている画像構成要素の輝度を変更するとともに、当該画像構成要素の輝度を変更した後の第２の画像の情報を出力制御部１５に出力する。
【００５５】
出力制御部１５は、表示制御部１２から出力された編集後の第２の画像の情報に基づき、プロジェクタ２に、第１の画像の表示を実行させる。ただし、出力制御部１５は、編集用部品については、表示させない。すなわち、輝度調整画面は表示されない。
これにより、プロジェクタ２が対象物上に表示している第１の画像がリアルタイムで編集される。また、第１の画像を視認する視認者および第１の画像を視認しながら編集中のユーザにとって必要のない、編集用部品は、プロジェクタ２による表示が行われないため、視認者等が第１の画像を見づらくなることを防ぐことができる。
【００５６】
（５）画像構成要素に付与されるアニメーションの編集
ユーザは、画像編集用画面の編集画像表示領域５０１に表示している第２の画像について、当該第２の画像に付与されているアニメーションの編集を行うこともできる。ユーザは、第２の画像を編集することで、当該編集内容を第１の画像に反映させる。
ユーザは、まず、画像構成要素をタッチして選択する。具体的な動作は、「（２）画像構成要素の形状の編集」で説明した具体的な動作と同様であるため、重複した説明を省略する。ただし、アニメーションが付与された画像構成要素が選択された場合、表示制御部１２は、「（２）画像構成要素の形状の編集」で説明した動作に加え、アニメーションの度合いを編集するための編集部品を表示させるようにする。
ここで、表示制御部１２が、アニメーションの度合いを示す編集用部品を表示させた、画像構成要素の表示イメージについて、いくつか例を挙げて説明する。なお、以下の表示イメージを示す図面では、説明の簡単のため、第２の画像のみ示している。実際には、図面で示す第２の画像が、画像編集用画面の、編集画像表示領域５０１に表示される。
【００５７】
図１１は、実施の形態１において、表示制御部１２が、画像構成要素に付与されたアニメーションの度合いを編集するための編集用部品を表示させた画面の一例のイメージを示す図である。なお、図１１では、説明の便宜上、画像構成要素は、矢印を示す画像構成要素としている。図１１の１１０３は、画像構成要素が選択されていることを示す枠である。
図１１では、アニメーションは、スライドアニメーションとし、表示制御部１２は、スライドアニメーションの度合いを編集するための編集用部品を表示させている。具体的には、表示制御部１２は、スライドアニメーションの移動距離を編集するための編集用部品１１０１と、スライドアニメーションの移動速度を編集するための編集用部品１１０２を表示させる。
ユーザは、編集用部品１１０１の幅を広げることでスライドアニメーションの移動距離を長くすることができ、編集用部品１１０１の幅を狭めることでスライドアニメーションの移動距離を短くすることができる。また、ユーザは、編集用部品１１０２を長くすることでスライドアニメーションの移動速度を速くすることができ、編集用部品１１０２を短くすることでスライドアニメーションの移動速度を遅くすることができる。
【００５８】
図１２は、実施の形態１において、表示制御部１２が、画像構成要素に付与されたアニメーションの度合いを編集するための編集用部品を表示させた画面のその他の一例のイメージを示す図である。なお、図１２では、説明の便宜上、画像構成要素は、危険信号を示す図形としている。図１２の１２０７は、画像構成要素が選択されていることを示す枠である。
図１２では、アニメーションは、点滅アニメーションとし、表示制御部１２は、点滅アニメーションの度合いを編集するための編集用部品を表示させている。具体的には、表示制御部１２は、点滅アニメーションの点滅の度合いを編集するための編集用部品として、第１の円１２０１、第２の円１２０２、第３の円１２０３、および、第４の円１２０４を表示させている。ユーザは、第１の円１２０１の大きさを大きくすることで、点滅アニメーションの消灯時間を長くすることができ、第１の円１２０１の大きさを小さくすることで、点滅アニメーションの消灯時間を短くすることができる。また、ユーザは、第１の円１２０１と第２の円１２０２の幅１２０５を広げることで点滅アニメーションの消灯時のフェード時間を長くすることができ、幅１２０５を狭めることで点滅アニメーションの消灯時のフェード時間を短くすることができる。また、ユーザは、第４の円１２０４の大きさを大きくすることで、点滅アニメーションの点灯時間を長くすることができ、第４の円１２０４の大きさを小さくすることで、点滅アニメーションの点灯時間を短くすることができる。また、ユーザは、第３の円１２０３と第４の円１２０４の幅１２０６を広げることで点滅アニメーションの点灯時のフェード時間を長くすることができ、幅１２０６を狭めることで点滅アニメーションの点灯時のフェード時間を短くすることができる。
【００５９】
ユーザは、画像構成要素を選択すると、当該画像構成要素に付与されたアニメーションを編集する。
具体的には、ユーザは、例えば、スライドアニメーションの移動速度を編集するための編集用部品１１０２の両端を２本の指でそれぞれタッチし、当該２本の指を広げることで、スライドアニメーションの移動速度を速くする。また、例えば、ユーザは、点滅アニメーションを編集するための第１の円１２０１の大きさを大きくすることで、点滅アニメーションの消灯時間を長くする。操作受付部１１は、付与されているアニメーションが変更された後の画像構成要素の属性情報を受け付け、表示制御部１２に出力する。表示制御部１２は、属性情報に基づき、編集画像表示領域５０１に表示させている画像構成要素に付与されているアニメーションを変更するとともに、当該画像構成要素に付与されているアニメーションを変更した後の第２の画像の情報を出力制御部１５に出力する。
【００６０】
出力制御部１５は、表示制御部１２から出力された編集後の第２の画像の情報に基づき、プロジェクタ２に、第１の図形の表示を実行させる。ただし、出力制御部１５は、編集用部品については、表示させない。すなわち、編集用部品１１０１，１１０２、第１の円１２０１、第２の円１２０２、第３の円１２０３、および、第４の円１２０４は、表示されない。
これにより、プロジェクタ２が対象物上に表示している第１の画像がリアルタイムで編集される。また、第１の図形を視認する視認者および第１の画像を視認しながら編集中のユーザにとって必要のない、編集用部品は、プロジェクタ２による表示が行われないため、視認者等が第１の画像を見づらくなることを防ぐことができる。
【００６１】
なお、上述の説明では、元々、画像構成要素に付与されていたアニメーションを編集するものとして説明した。しかし、これに限らず、ユーザは、画像構成要素に、新たにアニメーションを付与することもできる。
その場合、ユーザは、画像構成要素を選択すると、編集機能表示領域５０３に表示されているアニメーション設定画面（例えば、図１３の１３０１参照）から、所望のアニメーションをタッチして、アニメーションの編集を行う。操作受付部１１は、アニメーションが付与された後の画像構成要素の属性情報を受け付け、表示制御部１２に出力する。表示制御部１２は、属性情報に基づき、編集画像表示領域５０１に表示させている画像構成要素にアニメーションを付与するとともに、当該画像構成要素にアニメーションを付与した後の第２の画像の情報を出力制御部１５に出力する。
出力制御部１５は、表示制御部１２から出力された編集後の第２の画像の情報に基づき、プロジェクタ２に、第１の図形の表示を実行させる。ただし、出力制御部１５は、編集用部品については、表示させない。すなわち、例えば、編集用部品１１０１，１１０２等は、表示されない。
【００６２】
（６）画像構成要素の削除
ユーザは、画像編集用画面の編集画像表示領域５０１に表示している第２の画像について、削除する編集を行うこともできる。ユーザは、第２の画像を編集することで、当該編集内容を第１の画像に反映させる。
ユーザは、まず、画像構成要素をタッチして選択する。具体的な動作は、「（２）画像構成要素の形状の編集」で説明した具体的な動作と同様であるため、重複した説明を省略する。
ユーザは、画像構成要素を選択すると、当該画像構成要素を削除する編集を行う。
具体的には、ユーザは、例えば、画像構成要素をタッチした指をスライドさせ、当該画像構成要素を現在の表示位置から編集画像表示領域５０１外の位置まで移動させる。操作受付部１１は、画像構成要素を現在の表示位置から編集画像表示領域５０１外の位置まで移動させる編集操作を受け付け、表示制御部１２に出力する。表示制御部１２は、画像構成要素を画像編集用画面から削除するとともに、当該画像構成要素を削除した後の第２の画像の情報を出力制御部１５に出力する。
出力制御部１５は、表示制御部１２から出力された編集後の第２の画像の情報に基づき、プロジェクタ２に、第１の画像の表示を実行させる。ただし、出力制御部１５は、編集用部品については、表示させない。
これにより、プロジェクタ２が対象物上に表示している第１の画像がリアルタイムで編集される。また、第１の画像を視認する視認者および第１の画像を視認しながら編集中のユーザにとって必要のない、編集用部品は、プロジェクタ２による表示が行われないため、視認者等が第１の画像を見づらくなることを防ぐことができる。
【００６３】
なお、表示制御部１２は、画像構成要素を画像編集用画面から削除する際、画像構成要素が属する分類の一覧表示画面（図７参照）を、画像編集用画面に重畳させて表示させるようにすることもできる。ユーザは、例えば、誤って画像編集用画面から画像構成要素を削除してしまった場合、画像編集用画面から再び画像構成要素をタッチして選択し、編集画像表示領域５０１までスライドさせる。
操作受付部１１は、編集画像表示領域５０１まで画像構成要素をスライドさせる編集操作を受け付け、表示制御部１２は、当該画像構成要素を、再び、編集画像表示領域５０１に表示させるとともに、当該画像構成要素を編集した後の第２の図形の情報を出力制御部１５に出力する。
出力制御部１５は、表示制御部１２から出力された編集後の第２の画像の情報に基づき、プロジェクタ２に、第１の画像の表示を実行させる。このように、ユーザは、誤って画像編集用画面から画像構成要素を削除してしまった場合でも、素早く、再び当該画像構成要素が表示され、プロジェクタ２から、編集後の第２の画像の情報に基づく第１の画像が表示されるようにすることができる。
【００６４】
以上、図６のフローチャート等を用いて説明したように、編集装置１は、ユーザの操作に基づき、リアルタイムで、プロジェクタ２が表示している第１の画像の編集を行う。このとき、編集装置１は、表示部１０１には、第２の画像を編集するための編集用部品を、第２の画像に重畳させて表示させる。一方、編集装置１は、編集した第２の画像に基づき第１の画像の表示をプロジェクタ２に実行させる際には、編集用部品は表示されないようにする。ユーザは、床に表示されている第１の画像は見やすい状態のまま、リアルタイムで、当該第１の画像の編集を行うことができる。
【００６５】
なお、図６等を用いて説明した上述の動作説明では説明を省略したが、編集装置１において、操作制限部１４は、適宜、操作受付部１１が受け付けた操作に応じて、当該操作受付部１１の動作を制限するようにする。
【００６６】
図１４Ａ，図１４Ｂは、この発明の実施の形態１に係る編集装置１のハードウェア構成の一例を示す図である。
この発明の実施の形態１において、操作受付部１１と、表示制御部１２と、画像登録制御部１３と、操作制限部１４と、出力制御部１５の機能は、処理回路１４０１により実現される。すなわち、編集装置１は、プロジェクタ２から表示を実行させている第１の図形を編集する制御を行うための処理回路１４０１を備える。
処理回路１４０１は、図１４Ａに示すように専用のハードウェアであっても、図１４Ｂに示すようにメモリ１４０６に格納されるプログラムを実行するＣＰＵ（Ｃｅｎｔｒａｌ  Ｐｒｏｃｅｓｓｉｎｇ  Ｕｎｉｔ）１４０５であってもよい。
【００６７】
処理回路１４０１が専用のハードウェアである場合、処理回路１４０１は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、またはこれらを組み合わせたものが該当する。
【００６８】
処理回路１４０１がＣＰＵ１４０５の場合、操作受付部１１と、表示制御部１２と、画像登録制御部１３と、操作制限部１４と、出力制御部１５の機能は、ソフトウェア、ファームウェア、または、ソフトウェアとファームウェアとの組み合わせにより実現される。すなわち、操作受付部１１と、表示制御部１２と、画像登録制御部１３と、操作制限部１４と、出力制御部１５は、ＨＤＤ（Ｈａｒｄ  Ｄｉｓｋ  Ｄｒｉｖｅ）１４０２、メモリ１４０６等に記憶されたプログラムを実行するＣＰＵ１４０５、システムＬＳＩ（Ｌａｒｇｅ−Ｓｃａｌｅ  Ｉｎｔｅｇｒａｔｉｏｎ）等の処理回路により実現される。また、ＨＤＤ１４０２、メモリ１４０６等に記憶されたプログラムは、操作受付部１１と、表示制御部１２と、画像登録制御部１３と、操作制限部１４と、出力制御部１５の手順または方法をコンピュータに実行させるものであるとも言える。ここで、メモリ１４０６とは、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の、不揮発性または揮発性の半導体メモリや、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｃ）等が該当する。
【００６９】
なお、操作受付部１１と、表示制御部１２と、画像登録制御部１３と、操作制限部１４と、出力制御部１５の機能について、一部を専用のハードウェアで実現し、一部をソフトウェアまたはファームウェアで実現するようにしてもよい。例えば、操作受付部１１については専用のハードウェアとしての処理回路１４０１でその機能を実現し、表示制御部１２と、画像登録制御部１３と、操作制限部１４と、出力制御部１５については処理回路がメモリ１４０６に格納されたプログラムを読み出して実行することによってその機能を実現することが可能である。
画像データベース１６は、例えば、ＨＤＤ１４０２を使用する。なお、これは一例にすぎず、画像データベース１６は、ＤＶＤ、またはメモリ１４０６等によって構成されるものであってもよい。
また、編集装置１は、プロジェクタ２等の外部装置との通信を行う入力インタフェース装置１４０３および出力インタフェース装置１４０４を有する。
【００７０】
以上のように、実施の形態１によれば、編集装置１は、出力装置（プロジェクタ２）が第１の画像を表示している状態において、当該第１の画像を編集するための編集装置１であって、第１の画像に対応する第２の画像と、第２の画像を編集するための編集用部品とを、画像編集用画面に表示させる表示制御部１２と、表示制御部１２が表示させた編集用部品を用いて編集された第２の画像に基づき、出力装置が第１の画像を表示するための出力画像を生成し、当該出力画像を出力装置に出力する出力制御部１５とを備えるように構成した。
そのため、出力装置によって画像が表示されている状態で、当該画像をリアルタイムに編集することができる。
また、編集装置１は、画像編集用画面には、第２の画像と編集用部品とを表示させる。一方、編集装置１は、出力制御部１５が出力画像を生成する際には、画像編集用画面に表示されている編集用部品は使用されない。このため、出力制御部１５が、プロジェクタ２に第１の画像の表示を実行させる場合、画像編集用画面に表示されている編集用部品は表示させないこととなる。その結果、第１の画像を視認する視認者および第１の画像を視認しながら編集中のユーザにとって必要のない、編集用部品は、プロジェクタ２による表示が行われないため、視認者等が第１の画像を見づらくなることを防ぐことができる。
【００７１】
実施の形態２．
実施の形態１では、編集装置１は、画像編集用画面の編集画像表示領域５０１に第２の画像を表示させる際、当該第２の画像は、予め決められた色としていた。また、当該第２の画像の背景は、基本的に、例えば黒色等の初期値としていた。
実施の形態２では、編集装置１は、編集画像表示領域５０１に第２の画像を表示させる際、第１の画像が表示されている実空間に関する情報を考慮した表示とする実施の形態について説明する。
【００７２】
実施の形態２に係る編集装置１ａを備えた編集システム１０００ａの構成例の図示は省略するが、編集システム１０００ａは、実施の形態１において図１を用いて説明した編集システム１０００に、実空間情報取得装置（図示省略）を備えた点が異なるのみである。
実空間情報取得装置は、例えば、カメラまたはレーザライダである。実空間情報取得装置は、プロジェクタ２が第１の画像を表示している実空間に関する情報（以下「空間情報」という。）を取得する。具体的には、実空間情報取得装置がカメラである場合、カメラは、プロジェクタ２によって第１の画像が表示されている投射面を撮影し、撮影画像を空間情報として取得する。また、実空間情報取得装置がレーザライダである場合、レーザライダは、プロジェクタ２によって第１の画像が表示されている投射面における障害物の有無に関する情報を空間情報として取得する。
実空間情報取得装置は、例えば、プロジェクタ２に備えられるものとしてもよいし、プロジェクタ２が第１の画像を表示している投射面の鉛直方向の天井等に設置されるようにしてもよい。実施の形態２では、一例として、実空間情報取得装置は、プロジェクタ２が第１の画像を表示している投射面の鉛直方向の天井に設置されるものとする。
編集装置１ａは、実空間情報取得装置から空間情報を取得し、当該空間情報に基づき編集ガイド情報を作成して、第２の画像を表示させる際に、当該編集ガイド情報を、編集画像表示領域５０１に表示させる。編集ガイド情報とは、床の中央、通路の中央線、または、障害物等、実空間に存在する構造物に関する情報であり、ユーザが、第２の画像を編集する際の目標となる情報である。ユーザは、編集ガイド情報が表示されることで、画像編集用画面上で、より、第１の画像が表示される実空間に近い感覚で、第２の画像の編集を行うことができる。
【００７３】
図１５は、実施の形態２に係る編集装置１ａの構成例を示す図である。
図１５において、実施の形態１にて図４を用いて説明した編集装置１と同様の構成については、同じ符号を付して重複した説明を省略する。
図１５に示す編集装置１ａは、実空間情報取得部１７と、編集ガイド設定部１８を備える点において、図４を用いて説明した編集装置１とは異なる。編集ガイド設定部１８は、通知部１８１を備える。
【００７４】
実空間情報取得部１７は、実空間情報取得装置から空間情報を取得する。
実空間情報取得部１７は、取得した空間情報を、編集ガイド設定部１８に出力する。また、カメラが撮影した投射面の画像を空間情報として取得した場合、実空間情報取得部１７は、当該画像を、表示制御部１２に出力する。
【００７５】
編集ガイド設定部１８は、実空間情報取得部１７から出力された空間情報に基づき、編集ガイド情報を設定する。編集ガイド情報には、例えば、プロジェクタ２が第１の画像を表示する対象物の投射面の素材、投射面の色、投射面の傾斜、または、投射面に存在する障害物もしくは壁に関する情報が含まれる。編集ガイド設定部１８は、空間情報に基づき、プロジェクタ２が第１の画像を表示する対象物の投射面の素材、投射面の色、投射面の傾斜、または、投射面に存在する障害物もしくは壁を検出し、編集ガイド情報を設定する。編集ガイド設定部１８は、既存の画像処理の技術等を用いて、上述の、投射面の素材等を検出するようにすればよい。
編集ガイド設定部１８は、設定した編集ガイド情報を、表示制御部１２および操作制限部１４に出力する。
表示制御部１２は、画像編集用画面の編集画像表示領域５０１に第２の画像を表示させる際、編集ガイド設定部１８から出力された編集ガイド情報に基づく情報を、第２の画像とともに表示させる。詳細は後述する。
また、操作制限部１４は、編集ガイド設定部１８から出力された編集ガイド情報に基づき、操作受付部１１に対して、第２の画像の編集操作を受け付ける動作を制限させる。詳細は後述する。
編集ガイド設定部１８の通知部１８１は、編集ガイド情報に基づき、操作受付部１１が編集操作を受け付けた動作に対するフィードバックを出力させる。詳細は後述する。
【００７６】
実施の形態２に係る編集装置１ａのハードウェア構成は、実施の形態１において、図１４Ａおよび図１４Ｂを用いて説明した、編集装置１のハードウェア構成と同様であるため、重複した説明を省略する。実空間情報取得部１７および編集ガイド設定部１８は、操作受付部１１、表示制御部１２、画像登録制御部１３、操作制限部１４、および、出力制御部１５と同様のハードウェア構成を有する。
【００７７】
実施の形態２に係る編集装置１ａの動作について説明する。
実施の形態２に係る編集装置１ａの動作は、基本的には、実施の形態１において図６のフローチャートを用いて説明した編集装置１の動作と同様である。
実施の形態２に係る編集装置１ａでは、画像編集用画面を表示させる際、編集画像表示領域５０１に、編集ガイド情報に基づく情報を表示するようにした点が、実施の形態１に係る編集装置１とは異なる。
以下、編集装置１ａの動作について、実施の形態１に係る編集装置１とは異なる動作についてのみ説明し、実施の形態１に係る編集装置１と同様の動作については、重複した説明を省略する。
【００７８】
操作受付部１１が、画像編集用画面の呼出操作を受け付けると（図６のステップＳＴ６０１参照）、表示制御部１２が、表示部１０１に、画像編集用画面の表示を実行させる（図６のステップＳＴ６０２，ステップＳＴ６０３参照）。表示制御部１２は、画像編集用画面の表示を実行させる際、画像編集用画面の編集画像表示領域５０１に、編集ガイド設定部１８から出力された編集ガイド情報に基づく情報を表示させる。
以下、表示制御部１２が、編集画像表示領域５０１に、編集ガイド情報に基づく情報を表示させる動作について、具体例を挙げて説明する。
【００７９】
表示制御部１２は、編集画像表示領域５０１に第２の画像を表示させるとともに、編集ガイド情報に基づき、例えば、障害物が存在することを示す情報を表示させる。
編集ガイド設定部１８は、実空間情報取得部１７から出力された空間情報に基づき、障害物を検出すると、障害物がある旨の情報を、編集ガイド情報として表示制御部１２に出力する。障害物がある旨の情報には、障害物の形状、表示されている第１の画像から当該障害物までの距離を示す情報等が含まれる。
表示制御部１２は、編集ガイド設定部１８から出力された編集ガイド情報に基づき、編集画像表示領域５０１に、障害物が存在することを示す情報を表示させる。
図１６は、実施の形態２において、表示制御部１２が、編集ガイド情報に基づく情報を表示させた、編集画像表示領域５０１のイメージの一例を示す図である。
図１６の１６０１に示すように、表示制御部１２は、障害物の情報を、編集画像表示領域５０１に表示させる。
【００８０】
操作制限部１４は、ユーザが、編集画像表示領域５０１上で、第２の画像を構成する画像構成要素を移動させる場合、編集ガイド情報に基づき、当該画像構成要素と障害物とが重なる位置まで当該画像構成要素が移動されると、操作受付部１１に対して、当該画像構成要素と当該障害物とがそれ以上重なるような方向に、当該画像構成要素を移動させる編集操作を受け付けないよう制限する。ユーザは、編集画像表示領域５０１上で、画像構成要素と障害物とがそれ以上重なるような方向には、当該画像構成要素を移動できなくなる。
その際、編集ガイド設定部１８の通知部１８１は、タブレットＰＣ１００を振動させる等、ユーザに対するフィードバックを行うことにより、画像構成要素と障害物とが重なるため、画像構成要素と障害物とがそれ以上重なるような方向には画像構成要素を移動できない旨を通知するようにしてもよい。ユーザは、タブレットＰＣ１００が振動することで、編集画像表示領域５０１上で、画像構成要素と障害物が重なることを認識する。すなわち、ユーザは、床上で、第１の画像が障害物と重なることを認識する。
【００８１】
また、例えば、表示制御部１２は、投射面が通路等の限られた空間である場合、編集画像表示領域５０１に第２の画像を表示させるとともに、編集ガイド情報に基づき、空間の中央を示す情報を表示させることができる。具体的には、例えば、投射面が通路であるとすると、表示制御部１２は、当該通路の中心線を示す情報を表示させることができる。
編集ガイド設定部１８は、実空間情報取得部１７から出力された空間情報に基づき、通路を検出すると、当該通路の中央線を検出する。通路の中央線の情報は予め編集ガイド設定部１８が参照可能な図示しない記憶装置に記憶されている。編集ガイド設定部１８は、予め記憶されている通路の中央線の情報と、実空間情報取得部１７から出力された空間情報とに基づき、通路の中央線を検出し、当該中央線の情報を編集ガイド情報として表示制御部１２に出力する。当該編集ガイド情報には、中央線と第１の画像との位置関係の情報が含まれる。
表示制御部１２は、編集ガイド設定部１８から出力された編集ガイド情報に基づき、通路の中央線を示す情報を表示させる（図１６の１６０２）。
【００８２】
ユーザは、編集画像表示領域５０１に表示された通路の中央線を基準として、第２の画像を構成する画像構成要素が視認者から視認しやすい位置に配置されるよう、当該画像構成要素の位置を編集する。具体的には、ユーザは、編集画像表示領域５０１において、画像構成要素を指でタッチし、通路の中央線を示す表示を目安にしながら、画像構成要素を適切な位置までスライドさせる。
通路の中央線が表示されているので、ユーザにとっては、編集画像表示領域５０１において、画像構成要素を配置すべき位置がわかりやすい。表示制御部１２は、画像構成要素が移動された後の第２の画像の情報を出力制御部１５に出力し、出力制御部１５は、第２の画像に基づき、プロジェクタ２に、第１の画像の表示を実行させる。その結果、ユーザは、簡単に、通路の中央線を基準として、視認者が視認しやすい位置に、第１の画像を表示させることができる。
【００８３】
編集ガイド設定部１８の通知部１８１は、ユーザが、編集画像表示領域５０１上で画像構成要素を移動させる場合、編集ガイド情報に基づき、当該画像構成要素が通路の中央線を基準とした適切な位置まで移動されると、当該画像構成要素が適切な位置に表示されている旨を通知するようにすることができる。具体的には、例えば、編集ガイド設定部１８の通知部１８１は、タブレットＰＣ１００を振動させる、または、画像構成要素を、適切な位置に吸い込まれるような動作で若干移動させる等、ユーザに対するフィードバックを行うことにより、画像構成要素が、中央線を基準とした適切な位置まで移動された旨を通知する。ユーザは、タブレットＰＣ１００が振動すること等で、編集画像表示領域５０１上で、画像構成要素が適切な位置まで移動されたことを認識する。すなわち、ユーザは、床上で、第１の画像が適切な位置に表示されていることを認識する。
また、その際、操作制限部１４は、操作受付部１１に対して、当該画像構成要素を、現在の、適切な位置から移動させる編集操作を受け付けないよう制限するようにしてもよい。なお、中央線を基準とした適切な位置は予め決められており、当該適切な位置の情報は、編集ガイド設定部１８が参照可能な図示しない記憶装置に記憶されている。
【００８４】
また、例えば、表示制御部１２は、編集画像表示領域５０１に、第２の画像を表示させるとともに、編集ガイド情報に基づき、投射面の素材または色等を示す情報を表示させることができる。
編集ガイド設定部１８は、実空間情報取得部１７から出力された空間情報に基づき、投射面の素材または色等を検出し、当該素材または色等に関する情報を、編集ガイド情報として表示制御部１２に出力する。投射面の素材とは、例えば、木材、カーペット、または、タイル等である。
表示制御部１２は、編集ガイド設定部１８から出力された編集ガイド情報に基づき、投射面の素材または色等を示す情報を表示させる。具体的には、例えば、投射面の素材がカーペットである旨の編集ガイド情報が出力された場合、表示制御部１２は、カーペットの毛足の長さによるカーペット表面の凹凸の状態を模擬した模様を表示する。カーペット表面の凹凸の状態を模擬した模様は、予め設定されている。ここでは、一例として、カーペット表面の凹凸を模擬した模様として、斜線が予め設定されているものとする。
図１７は、実施の形態２において、表示制御部１２が、編集ガイド情報に基づく情報を表示させた、編集画像表示領域５０１のイメージのその他の一例を示す図である。
図１７の１７０１に示すように、表示制御部１２は、カーペット表面の凹凸を模擬した模様を、第２の画像に重畳表示させる。
なお、上記は一例に過ぎず、編集ガイド設定部１８は、投射面の素材に応じて、当該素材を示す情報を編集ガイド情報に設定し、表示制御部１２は、編集ガイド情報に基づき、投射面の素材を模擬した模様を表示させることができる。
【００８５】
また、編集ガイド設定部１８が、投射面の色を設定した編集ガイド情報を出力した場合、表示制御部１２は、編集ガイド情報に基づき、編集画像表示領域５０１に表示する第２の画像の背景を変更するようにすることができる。
【００８６】
また、操作制限部１４は、ユーザが、編集画像表示領域５０１上で第２の画像を構成する画像構成要素の色または輝度を編集する場合、編集ガイド情報に基づき、操作受付部１１に対し、画像構成要素の色または輝度を編集する編集操作の受付動作の制限をするように制御することができる。例えば、編集ガイド情報が、投射面が黒色のカーペットである旨を示す情報である場合、操作制限部１４は、操作受付部１１に対し、第２の画像を構成する画像構成要素を赤色とする編集操作を受け付けないよう制限する。または、編集ガイド情報が、投射面が黒色のカーペットである旨を示す情報である場合、操作制限部１４は、操作受付部１１に対し、第２の画像を構成する画像構成要素の色を編集する編集操作として、白色、黄色、または、黄緑色等の推奨色を指定する編集操作のみを受付可能とするよう制限してもよい。また、操作制限部１４は、操作受付部１１がカラーチャートの表示操作を受け付けた場合に、表示制御部１２に対して、推奨色のみを含むカラーチャートを表示させるよう制御してもよい。
なお、投影面がどのような素材または色であった場合に、どのような色が、編集後の色として推奨されるかは、予め決められている。
【００８７】
また、例えば、表示制御部１２は、編集画像表示領域５０１に、第２の画像を表示させるとともに、編集ガイド情報に基づき、投射面の傾斜を示す情報を表示させることができる。
編集ガイド設定部１８は、実空間情報取得部１７から出力された空間情報に基づき、投射面の傾斜を検出し、当該傾斜に関する情報を、編集ガイド情報として表示制御部１２に出力する。
表示制御部１２は、編集ガイド設定部１８から出力された編集ガイド情報に基づき、投射面の傾斜を示す情報を表示させる。具体的には、例えば、投射面の傾斜を示す情報が出力された場合、表示制御部１２は、投射面の傾斜に応じて、第２の画像を歪んだ状態で表示する。
【００８８】
操作制限部１４は、ユーザが、編集画像表示領域５０１上で第２の画像を構成する画像構成要素を移動させる場合、編集ガイド情報に基づき、操作受付部１１に対し、傾斜が検出されているエリアに画像構成要素が達すると、当該画像構成要素が、それ以上傾斜が検出されているエリアと重なる方向に、当該画像構成要素を移動させる編集操作を受け付けないよう制御することができる。
【００８９】
以上の説明では、表示制御部１２は、編集ガイド設定部１８から出力される編集ガイド情報に基づき、編集画像表示領域５０１の表示を制御する例について説明した。
これに限らず、表示制御部１２は、実空間情報取得部１７から、カメラが撮影した画像を、編集ガイド情報として取得している場合、編集画像表示領域５０１において、当該画像を、背景に設定して表示させるようにすることもできる。カメラが撮影した画像を背景に設定する場合、ユーザは、編集画像表示領域５０１に表示される第２の画像を、実際に第１の画像が表示されている状態に近い状態で見ることができる。
【００９０】
編集ガイド情報、および、編集画像表示領域５０１に設定される画像は、編集用部品である。したがって、出力制御部１５は、第２の画像に基づき第１の画像の表示をプロジェクタ２に実行させる際は、他の編集用部品と同様に、編集ガイド情報、または、編集画像表示領域５０１の背景に設定されている画像については、表示させない。
【００９１】
なお、以上の実施の形態２では、一例として、実空間情報取得装置は、プロジェクタ２が第１の図形を投射している投射面の鉛直方向の天井に設置されるものとした。これは一例に過ぎず、実空間情報取得装置は、プロジェクタ２が第１の画像を表示している実空間に関する空間情報を取得できる位置に設置されていればよい。ただし、実空間情報取得装置が、投射面の情報を、当該投射面の鉛直方向から取得する位置に設置されていない場合には、実空間情報取得部１７が、空間情報を取得した際、投射面の鉛直方向からみた空間情報となるよう、当該空間情報を補正するようにする。実空間情報取得部１７は、既存の技術を用いて空間情報を補正するようにすればよい。
【００９２】
以上のように、実施の形態２によれば、編集装置１ａは、実施の形態１に係る編集装置１の構成に加え、第１の画像が表示される実空間に関する空間情報を取得する実空間情報取得部１７と、実空間情報取得部１７が取得した空間情報に基づき、実空間に存在する構造物に関する編集ガイド情報を設定する編集ガイド設定部１８とを備え、表示制御部１２は、第２の画像とともに前記編集ガイド情報に基づく画像を表示させるように構成されている。これにより、ユーザは、より簡単に、表示されている第１の画像の編集を行うことができる。
【００９３】
実施の形態３．
実施の形態１では、編集装置１が出力画像として投射用画像を生成し、出力装置であるプロジェクタ２に第１の画像の表示を実行させる際、視認者の視点は考慮されてはいなかった。
実施の形態３では、第１の画像を視認する視認者の視点を考慮して、視認者から見て、第１の画像が予め設定された大きさおよび向きで表示されるよう、出力画像を生成する実施の形態について説明する。
【００９４】
実施の形態３に係る編集装置１ｂを備えた編集システム１０００の構成は、実施の形態１において図１を用いて説明した編集システム１０００の構成と同様であるため、重複した説明を省略する。
また、実施の形態３に係る編集装置１ｂのハードウェア構成は、図１４Ａおよび図１４Ｂを用いて説明したハードウェア構成と同様であるため、重複した説明を省略する。
【００９５】
図１８は、実施の形態３に係る編集装置１ｂの構成例を示す図である。
図１８において、実施の形態１にて図４を用いて説明した編集装置１と同様の構成については、同じ符号を付して重複した説明を省略する。
図１８に示す編集装置１ｂは、実施の形態１に係る編集装置１とは、操作受付部１１ａが、視点受付部１１１を備える点が異なる。
【００９６】
視点受付部１１１は、視認者の視点に関する情報（以下「視点情報」という。）を受け付ける。視点情報とは、例えば、視認者の視点の高さ、プロジェクタ２と視認者との距離、または、プロジェクタ２と視認者との位置関係に関する情報等を含み、視認者の視点を定めることができる情報である。
ユーザは、表示部１０１をタッチして、視点情報を入力する。具体的には、ユーザは、例えば、表示部１０１をタッチして、視点情報入力画面を呼び出す画面呼出操作を行う。操作受付部１１は、当該画面呼出操作を受け付け、表示制御部１２が視点情報入力画面を表示部１０１に表示させる。ユーザは、表示部１０１をタッチして、視点情報入力画面から、視点情報を入力する。具体的には、例えば、ユーザは、視認者の位置について「プロジェクタの正面方向から左に９０度の方向に３０メートル離れた位置」である旨の情報と、視認者の身長について「１６０センチ」である旨の情報を、視点情報として入力する入力操作を行う。視点受付部１１１は、ユーザが行った、視点情報の入力操作を受け付ける。
視点受付部１１１は、受け付けた入力操作に基づき、視点情報を、出力制御部１５に出力する。
【００９７】
実施の形態３では、出力制御部１５は、表示制御部１２から出力された第２の画像の情報に基づいて第１の画像の表示をプロジェクタ２に実行させる際、視点情報に基づき、当該第１の画像が、視認者から見て、予め設定された大きさおよび向きで表示されるよう、出力画像として投射用画像を生成する。
具体的には、出力制御部１５は、プロジェクタ２と投射面との位置関係と、第２の画像の情報と、視点情報とに基づき、視点情報を考慮しない場合の第１の画像を表示するための投射用画像に対し、変形または回転された第１の画像を表示するための投射用画像を生成する。
【００９８】
図１９は、実施の形態３において、出力制御部１５が、視認者から見て、予め設定された大きさおよび向きで表示されるよう、変形または回転された第１の画像を表示させたイメージの一例を示す図である。
図１９では、出力制御部１５が表示させている第１の画像を「とまれ」の文字列としている。
図１９Ａに示すように、床に「とまれ」が表示された状態で、ユーザが、視点情報として、プロジェクタの正面方向から左に９０度の方向に３０ｍ離れた位置にいる身長１６０ｃｍの人の視点である旨を示す情報を入力したとする。この場合、図１９Ｂに示すように、出力制御部１５は、「とまれ」を縦方向に引き伸ばし、視認者から見て、当該「とまれ」が、予め設定された大きさおよび向きで投射されるような投射用画像を生成する。
【００９９】
実施の形態３に係る編集装置１ｂの動作は、実施の形態１に係る編集装置１と同様の動作に加え、上述のとおり、視点受付部１１１が視点情報を受け付け、出力制御部１５が、視点情報に基づき、視認者から見て、第１の画像を予め設定された大きさおよび向きで表示させるような、出力画像を生成する。
実施の形態１に係る編集装置１と同様の動作については、説明済みであるため、重複した説明を省略する。
【０１００】
なお、以上の説明では、出力制御部１５は、第２の画像の情報と視点情報とに基づき、大きさおよび向きが変更された第１の画像を表示させるものとしたが、これは一例に過ぎない。出力制御部１５は、第２の画像の情報と視点情報とに基づき、第１の画像の向き、または、色等のいずれか１つ以上を変更することもできる。
【０１０１】
以上のように、実施の形態３に係る編集装置１ｂでは、実施の形態１に係る編集装置１の構成に加え、第１の画像を視認する視認者の視点に関する視点情報を受け付ける視点受付部１１１を備え、出力制御部１５は、第２の画像と、視点受付部１１１が受け付けた視点情報に基づき、出力画像を生成するようにした。
これにより、編集装置１ｂは、視認者の視点に応じて、視認者にとって見やすい第１の画像の表示を出力装置に実行させることができる。
【０１０２】
実施の形態４．
実施の形態１では、編集装置１が出力画像として投射用画像を生成し、出力装置であるプロジェクタ２に第１の画像の表示を実行させる際、プロジェクタ２の周囲の環境が考慮されてはいなかった。
実施の形態４では、第１の画像が表示される際の、出力装置の周囲の環境を考慮して、出力画像を生成する実施の形態について説明する。
【０１０３】
実施の形態４に係る編集装置１ｃを備えた編集システム１０００の構成は、実施の形態１において図１を用いて説明した編集システム１０００の構成と同様であるため、重複した説明を省略する。
また、実施の形態４に係る編集装置１ｃのハードウェア構成は、図１４Ａおよび図１４Ｂを用いて説明したハードウェア構成と同様であるため、重複した説明を省略する。
【０１０４】
図２０は、実施の形態４に係る編集装置１ｃの構成例を示す図である。
図２０において、実施の形態１にて図４を用いて説明した編集装置１と同様の構成については、同じ符号を付して重複した説明を省略する。
図２０に示す編集装置１ｃは、実施の形態１に係る編集装置１とは、操作受付部１１ｂが、環境情報受付部１１２を備える点が異なる。
【０１０５】
環境情報受付部１１２は、プロジェクタ２の周辺の環境に関する情報（以下「環境情報」という。）を受け付ける。環境情報とは、例えば、プロジェクタ２の周辺の外光の強さ、プロジェクタ２からみた、外光が差し込む方向、投射面の素材、投射面の色、または、投射面が有する傾斜に関する情報等を含む。
ユーザは、表示部１０１をタッチして、環境情報を入力する。具体的には、ユーザは、例えば、表示部１０１をタッチして、環境情報入力画面を呼び出す画面呼出操作を行う。操作受付部１１は、当該画面呼出操作を受け付け、表示制御部１２が環境情報入力画面を表示部１０１に表示させる。ユーザは、表示部１０１をタッチして、環境情報入力画面から、環境情報の入力操作を行う。環境情報受付部１１２は、ユーザが行った、環境情報の入力操作を受け付ける。
環境情報受付部１１２は、受け付けた入力操作に基づき、環境情報を、出力制御部１５に出力する。
【０１０６】
実施の形態４では、出力制御部１５は、表示制御部１２から出力された第２の画像の情報と、環境情報とに基づき、第１の画像が、第２の画像の色および形状のまま表示されるよう、出力画像を生成する。
例えば、出力制御部１５は、環境情報受付部１１２から外光が強い旨の環境情報が出力された場合、輝度の低い第１の画像が表示されるような出力画像を生成する。
【０１０７】
図２１は、実施の形態４において、出力制御部１５が、第２の画像の色および形状のまま第１の画像が表示されるよう、環境情報を考慮しない場合の第１の画像に対し、輝度または色を変更した第１の画像を表示させたイメージの一例を示す図である。
図２１では、出力制御部１５が投射させる第１の画像を、四角形の図形と矢印の図形とが組み合わされた、２組の図形から構成されるものとしている。
図２１Ａに示すように第１の画像が表示された状態で、ユーザが、投射面に傾斜があり、かつ、照明が暗い旨の環境情報を入力したとする。この場合、図２１Ｂに示すように、出力制御部１５は、第１の画像の向きを、傾斜に合わせて補正するとともに、第１の画像の輝度を、大きい値に補正するような、出力画像を生成する。
【０１０８】
実施の形態４に係る編集装置１ｃの動作は、実施の形態１に係る編集装置１と同様の動作に加え、上述のとおり、環境情報受付部１１２が環境情報を受け付け、出力制御部１５が、環境情報に基づき、画像編集用画面の編集画像表示領域５０１に表示されている第２の画像の色および形状のまま第１の画像が表示されるよう、出力画像を生成して、プロジェクタ２に第１の画像を表示させる。
実施の形態１に係る編集装置１と同様の動作については、説明済みであるため、重複した説明を省略する。
【０１０９】
なお、以上の説明では、出力制御部１５は、第２の画像の情報と環境情報とに基づき、向きと輝度が変更された第１の画像を表示させるものとしたが、これは一例に過ぎない。出力制御部１５は、第２の画像の情報と環境情報とに基づき、第１の画像の色、または、大きさ等のいずれか１つ以上を変更することもできる。
【０１１０】
以上のように、実施の形態４に係る編集装置１ｃは、実施の形態１に係る編集装置１の構成に加え、出力装置（プロジェクタ２）の周囲の環境に関する環境情報を受け付ける環境情報受付部１１２を備え、出力制御部１５は、第２の画像と、環境情報受付部１１２が受け付けた環境情報に基づき、出力画像を生成するようにした。これにより、編集装置１ｃは、視認者が第１の画像を視認する環境に依らず、視認者にとって見やすい第１の画像の表示を出力装置に実行させることができる。
【０１１１】
以上の実施の形態１〜実施の形態４では、編集装置１，１ａ，１ｂ，１ｃは、タブレットＰＣ１００に搭載されるものとしたが、これは一例に過ぎない。編集装置１，１ａ，１ｂ，１ｃは、例えば、出力装置であるプロジェクタ２と通信可能なデスクトップ型のＰＣ、または、個人が所有するスマートフォンに搭載されてもよい。また、編集装置１，１ａ，１ｂ，１ｃは、プロジェクタ２がタッチパネル等からなる表示部を備える場合、当該プロジェクタ２自体に搭載されてもよい。
【０１１２】
また、以上の実施の形態１〜実施の形態４では、第１の画像を表示する出力装置はプロジェクタ２としたが、これは一例に過ぎない。第１の画像を表示する出力装置は、例えば、液晶ディスプレイ等の自発光装置とし、自発光装置自体に第１の画像が表示されるものとしてもよい。ただし、実施の形態２で説明した、編集装置１，１ａ，１ｂ，１ｃが編集画像表示領域５０１に、投射面の素材または色等を模擬した模様を表示させる動作、および、投射面の傾斜を示す情報を表示させる動作は、自発光装置を出力装置とする場合の編集装置には適用されない。
また、以上の実施の形態１〜実施の形態４では、プロジェクタ側画像データベース２２は、プロジェクタ２に備えられるものとしたが、これに限らず、プロジェクタ側画像データベース２２は、プロジェクタ２の外部の、プロジェクタ２が参照可能な場所に備えられるようにしてもよい。
また、以上の実施の形態１〜実施の形態４では、プロジェクタ２が、プロジェクタ制御部２１と、プロジェクタ側画像データベース２２を備えるものとしたが、これは一例に過ぎない。例えば、１以上のプロジェクタ２に対し、それぞれ当該プロジェクタ２の制御用に、編集装置１，１ａ，１ｂ，１ｃが搭載されたタブレットＰＣ１００とは異なるタブレットＰＣ等のＰＣ（以下「プロジェクタ制御用ＰＣ」という。）が有線または無線で通信可能に接続される場合がある。この場合、各プロジェクタ制御用ＰＣが、プロジェクタ制御部２１と、プロジェクタ側画像データベース２２を備えるものとしてもよい。
また、以上の実施の形態１〜実施の形態４では、プロジェクタ２が、プロジェクタ側画像データベース２２を備えるものとしたが、図１Ａに示したように、１台のタブレットＰＣ１００が１台のプロジェクタ２のみと接続される場合には、プロジェクタ側画像データベース２２は設けられなくてもよい。
【０１１３】
また、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【０１１４】
この発明に係る編集装置は、出力装置が画像を表示している状態で、リアルタイムで当該画像の編集することができるように構成したため、出力装置が表示する画像を編集する編集装置に適用することができる。
【符号の説明】
【０１１５】
１，１ａ，１ｂ，１ｃ  編集装置、２  プロジェクタ、１１，１１ａ，１１ｂ  操作受付部、１２  表示制御部、１３  画像登録制御部、１４  操作制限部、１５  出力制御部、１６  画像データベース、１７  実空間情報取得部、１８  編集ガイド設定部、２１  制御部（プロジェクタ制御部）、２２  画像データベース（プロジェクタ側画像データベース）、１００  タブレットＰＣ、１０１  表示部、１１１  視点受付部、１１２  環境情報受付部、１８１  通知部、１０００，１０００ａ  編集システム、１４０１  処理回路、１４０２  ＨＤＤ、１４０３  入力インタフェース装置、１４０４  出力インタフェース装置、１４０５  ＣＰＵ、１４０６  メモリ。
【図１】
2020008498.tif 000003
【図２】
2020008498.tif 000004
【図３】
2020008498.tif 000005
【図４】
2020008498.tif 000006
【図５】
2020008498.tif 000007
【図６】
2020008498.tif 000008
【図７】
2020008498.tif 000009
【図８】
2020008498.tif 000010
【図９】
2020008498.tif 000011
【図１０】
2020008498.tif 000012
【図１１】
2020008498.tif 000013
【図１２】
2020008498.tif 000014
【図１３】
2020008498.tif 000015
【図１４】
2020008498.tif 000016
【図１５】
2020008498.tif 000017
【図１６】
2020008498.tif 000018
【図１７】
2020008498.tif 000019
【図１８】
2020008498.tif 000020
【図１９】
2020008498.tif 000021
【図２０】
2020008498.tif 000022
【図２１】
2020008498.tif 000023
【手続補正書】
【提出日】平成31年1月10日(2019.1.10)
【手続補正１】
【補正対象書類名】明細書
【補正対象項目名】０００６
【補正方法】変更
【補正の内容】
【０００６】
この発明に係る編集装置は、出力装置が第１の画像を表示している状態において、当該第１の画像を編集するための編集装置であって、第１の画像に対応する第２の画像と、当該第２の画像を編集するための編集用部品とを、画像編集用画面に表示させる表示制御部と、表示制御部が表示させた編集用部品を用いた操作に追随して、第２の画像に基づき、出力装置が第１の画像を表示するための出力画像を生成し、当該出力画像を前記出力装置に出力する出力制御部とを備えたものである。
【手続補正２】
【補正対象書類名】特許請求の範囲
【補正対象項目名】全文
【補正方法】変更
【補正の内容】
【特許請求の範囲】
【請求項１】
出力装置が第１の画像を表示している状態において、当該第１の画像を編集するための編集装置であって、
前記第１の画像に対応する第２の画像と、当該第２の画像を編集するための編集用部品とを、画像編集用画面に表示させる表示制御部と、
前記表示制御部が表示させた前記編集用部品を用いた操作に追随して、前記第２の画像に基づき、前記出力装置が前記第１の画像を表示するための出力画像を生成し、当該出力画像を前記出力装置に出力する出力制御部
とを備えた編集装置。
【請求項２】
前記第２の画像の編集の際に前記出力装置が前記第１の画像の表示を開始する条件を示す情報を受け付けた場合、前記出力制御部は、前記第１の画像の表示を開始する条件を満たすと、前記出力画像の出力を開始する請求項１記載の編集装置。
【請求項３】
前記第１の画像の表示を開始する条件は、時刻により定められる請求項２記載の編集装置。
【請求項４】
前記第２の画像を編集するための編集操作を受け付ける操作受付部と、
前記操作受付部が受け付け可能な編集操作を制限する操作制限部
とを備えた請求項１記載の編集装置。
【請求項５】
前記第１の画像が表示される実空間に関する空間情報を取得する実空間情報取得部と、
前記実空間情報取得部が取得した前記空間情報に基づき、前記実空間に存在する構造物に関する編集ガイド情報を設定する編集ガイド設定部とを備え、
前記表示制御部は、前記第２の画像とともに前記編集ガイド情報に基づく画像を表示させる
ことを特徴とする請求項１記載の編集装置。
【請求項６】
前記第２の画像を編集するための編集操作を受け付ける操作受付部と、
前記操作受付部が受け付けた編集操作により、前記第２の画像と前記編集ガイド情報に基づく画像とが重なる位置に移動された場合、前記操作受付部が受け付け可能な編集操作を制限する操作制限部と、
前記操作制限部により前記操作受付部が受け付け可能な編集操作が制限された旨の通知を出力させる通知部
を備えた請求項５記載の編集装置。
【請求項７】
前記第１の画像が表示される実空間を撮影した画像を空間情報として取得する実空間情報取得部を備え、
前記表示制御部は、前記第２の画像を、前記実空間情報取得部が取得した前記空間情報に重畳させて表示させる
ことを特徴とする請求項１記載の編集装置。
【請求項８】
前記第１の画像を視認する視認者の視点に関する視点情報を受け付ける視点受付部を備え、
前記出力制御部は、前記第２の画像と、前記視点受付部が受け付けた前記視点情報に基づき、前記出力画像を生成する
ことを特徴とする請求項１記載の編集装置。
【請求項９】
前記出力装置の周囲の環境に関する環境情報を受け付ける環境情報受付部を備え、
前記出力制御部は、前記第２の画像と、前記環境情報受付部が受け付けた前記環境情報に基づき、前記出力画像を生成する
ことを特徴とする請求項１記載の編集装置。
【請求項１０】
出力装置が第１の画像を表示している状態において、当該第１の画像を編集するための編集方法であって、
表示制御部が、前記第１の画像に対応する第２の画像と、当該第２の画像を編集するための編集用部品とを、画像編集用画面に表示させるステップと、
出力制御部が、前記表示制御部が表示させた前記編集用部品を用いた操作に追随して、前記第２の画像に基づき、前記出力装置が前記第１の画像を表示するための出力画像を生成し、当該出力画像を前記出力装置に出力するステップ
とを備えた編集方法。
【請求項１１】
コンピュータを、
出力装置が第１の画像を表示している状態において、当該第１の画像を編集するための編集装置として機能させる編集プログラムにおいて、
コンピュータを、
前記第１の画像に対応する第２の画像と、当該第２の画像を編集するための編集用部品とを、画像編集用画面に表示させる表示制御部と、
前記表示制御部が表示させた前記編集用部品を用いた操作に追随して、前記第２の画像に基づき、前記出力装置が前記第１の画像を表示するための出力画像を生成し、当該出力画像を前記出力装置に出力する出力制御部
として機能させるための編集プログラム。
【請求項１２】
第１の画像を表示する出力装置と、
前記出力装置が前記第１の画像を表示している状態において、当該第１の画像を編集するための編集装置であって、
前記第１の画像に対応する第２の画像と、当該第２の画像を編集するための編集用部品とを、画像編集用画面に表示させる表示制御部と、
前記表示制御部が表示させた前記編集用部品を用いた操作に追随して、前記第２の画像に基づき、前記出力装置が前記第１の画像を表示するための出力画像を生成し、当該出力画像を前記出力装置に出力する出力制御部とを有する編集装置
とを備えた編集システム。
【手続補正書】
【提出日】平成31年4月25日(2019.4.25)
【手続補正１】
【補正対象書類名】明細書
【補正対象項目名】０００６
【補正方法】変更
【補正の内容】
【０００６】
この発明に係る編集装置は、出力装置が第１の画像を表示している状態において、当該第１の画像を編集するための編集装置であって、第１の画像に対応する第２の画像と、当該第２の画像を編集するための編集用部品とを、画像編集用画面に表示させる表示制御部と、表示制御部が表示させた編集用部品を用いた操作に追随して、第２の画像に基づき、出力装置が第１の画像を表示するための出力画像を生成し、第２の画像の編集の際に、出力装置が、時刻により定められる第１の画像の表示を開始する条件を示す情報を受け付け、第１の画像の表示を開始する条件を満たすと、出力画像を出力装置に出力を開始し、出力する出力制御部とを備えたものである。
【手続補正２】
【補正対象書類名】特許請求の範囲
【補正対象項目名】全文
【補正方法】変更
【補正の内容】
【特許請求の範囲】
【請求項１】
出力装置が第１の画像を表示している状態において、当該第１の画像を編集するための編集装置であって、
前記第１の画像に対応する第２の画像と、当該第２の画像を編集するための編集用部品とを、画像編集用画面に表示させる表示制御部と、
前記表示制御部が表示させた前記編集用部品を用いた操作に追随して、前記第２の画像に基づき、前記出力装置が前記第１の画像を表示するための出力画像を生成し、前記第２の画像の編集の際に、前記出力装置が、時刻により定められる前記第１の画像の表示を開始する条件を示す情報を受け付け、前記第１の画像の表示を開始する条件を満たすと、前記出力画像を前記出力装置に出力開始し、出力する出力制御部と
を備えた編集装置。
【請求項２】
前記第２の画像を編集するための編集操作を受け付ける操作受付部と、
前記操作受付部が受け付け可能な編集操作を制限する操作制限部と
を備えた請求項１記載の編集装置。
【請求項３】
前記第１の画像が表示される実空間を撮影した画像を空間情報として取得する実空間情報取得部を備え、
前記表示制御部は、前記第２の画像を、前記実空間情報取得部が取得した前記空間情報に重畳させて表示させる
ことを特徴とする請求項１又は請求項２記載の編集装置。
【請求項４】
出力装置が第１の画像を表示している状態において、当該第１の画像を編集するための編集装置であって、
前記第１の画像が表示される実空間に関する空間情報を取得する実空間情報取得部と、
前記実空間情報取得部が取得した前記空間情報に基づき、前記実空間に存在する構造物に関する編集ガイド情報を設定する編集ガイド設定部と、
前記第１の画像に対応する第２の画像と、前記第２の画像とともに表示される前記編集ガイド情報に基づく画像と、前記第２の画像を編集するための編集用部品とを、画像編集用画面に表示させる表示制御部と、
前記表示制御部が表示させた前記編集用部品を用いた操作に追随して、前記第２の画像に基づき、前記出力装置が前記第１の画像を表示するための出力画像を生成し、当該出力画像を前記出力装置に出力する出力制御部と
を備えた編集装置。
【請求項５】
前記第２の画像を編集するための編集操作を受け付ける操作受付部と、
前記操作受付部が受け付けた編集操作により、前記第２の画像と前記編集ガイド情報に基づく画像とが重なる位置に移動された場合、前記操作受付部が受け付け可能な編集操作を制限する操作制限部と、
前記操作制限部により前記操作受付部が受け付け可能な編集操作が制限された旨の通知を出力させる通知部
を備えた請求項４記載の編集装置。
【請求項６】
前記第１の画像を視認する視認者の視点に関する視点情報を受け付ける視点受付部を備え、
前記出力制御部は、前記第２の画像と、前記視点受付部が受け付けた前記視点情報に基づき、前記出力画像を生成する
ことを特徴とする請求項１から請求項５のいずれか１項に記載の編集装置。
【請求項７】
前記出力装置の周囲の環境に関する環境情報を受け付ける環境情報受付部を備え、
前記出力制御部は、前記第２の画像と、前記環境情報受付部が受け付けた前記環境情報に基づき、前記出力画像を生成する
ことを特徴とする請求項１から請求項６のいずれか１項に記載の編集装置。
【請求項８】
出力装置が第１の画像を表示している状態において、当該第１の画像を編集するための編集方法であって、
表示制御部が、前記第１の画像に対応する第２の画像と、当該第２の画像を編集するための編集用部品とを、画像編集用画面に表示させるステップと、
出力制御部が、前記表示制御部が表示させた前記編集用部品を用いた操作に追随して、前記第２の画像に基づき、前記出力装置が前記第１の画像を表示するための出力画像を生成し、前記第２の画像の編集の際に、前記出力装置が、時刻により定められる前記第１の画像の表示を開始する条件を示す情報を受け付け、前記第１の画像の表示を開始する条件を満たすと、前記出力画像を前記出力装置に出力開始し、出力するステップと
を備えた編集方法。
【請求項９】
出力装置が第１の画像を表示している状態において、当該第１の画像を編集するための編集方法であって、
実空間情報取得部が、前記第１の画像が表示される実空間に関する空間情報を取得し、編集ガイド設定部が、前記実空間情報取得部が取得した前記空間情報に基づき、前記実空間に存在する構造物に関する編集ガイド情報を設定するステップと、
表示制御部が、前記第１の画像に対応する第２の画像と、前記第２の画像とともに表示される前記編集ガイド情報に基づく画像と、前記第２の画像を編集するための編集用部品とを、画像編集用画面に表示させるステップと、
出力制御部が、前記表示制御部が表示させた前記編集用部品を用いた操作に追随して、前記第２の画像に基づき、前記出力装置が前記第１の画像を表示するための出力画像を生成し、当該出力画像を前記出力装置に出力するステップと
を備えた編集方法。
【請求項１０】
コンピュータを、
出力装置が第１の画像を表示している状態において、当該第１の画像を編集するための編集装置として機能させる編集プログラムにおいて、
コンピュータを、
前記第１の画像に対応する第２の画像と、当該第２の画像を編集するための編集用部品とを、画像編集用画面に表示させる表示制御部と、
前記表示制御部が表示させた前記編集用部品を用いた操作に追随して、前記第２の画像に基づき、前記出力装置が前記第１の画像を表示するための出力画像を生成し、前記第２の画像の編集の際に、前記出力装置が、時刻により定められる前記第１の画像の表示を開始する条件を示す情報を受け付け、前記第１の画像の表示を開始する条件を満たすと、前記出力画像を前記出力装置に出力開始し、出力する出力制御部
として機能させるための編集プログラム。
【請求項１１】
コンピュータを、
出力装置が第１の画像を表示している状態において、当該第１の画像を編集するための編集装置として機能させる編集プログラムにおいて、
コンピュータを、
前記第１の画像が表示される実空間に関する空間情報を取得する実空間情報取得部と、
前記実空間情報取得部が取得した前記空間情報に基づき、前記実空間に存在する構造物に関する編集ガイド情報を設定する編集ガイド設定部と、
前記第１の画像に対応する第２の画像と、前記第２の画像とともに表示される前記編集ガイド情報に基づく画像と、前記第２の画像を編集するための編集用部品とを、画像編集用画面に表示させる表示制御部と、
前記表示制御部が表示させた前記編集用部品を用いた操作に追随して、前記第２の画像に基づき、前記出力装置が前記第１の画像を表示するための出力画像を生成し、当該出力画像を前記出力装置に出力する出力制御部
として機能させるための編集プログラム。
【請求項１２】
第１の画像を表示する出力装置と、
前記出力装置が前記第１の画像を表示している状態において、当該第１の画像を編集するための編集装置であって、
前記第１の画像に対応する第２の画像と、当該第２の画像を編集するための編集用部品とを、画像編集用画面に表示させる表示制御部と、
前記表示制御部が表示させた前記編集用部品を用いた操作に追随して、前記第２の画像に基づき、前記出力装置が前記第１の画像を表示するための出力画像を生成し、前記第２の画像の編集の際に、前記出力装置が、時刻により定められる前記第１の画像の表示を開始する条件を示す情報を受け付け、前記第１の画像の表示を開始する条件を満たすと、前記出力画像を前記出力装置に出力開始し、出力する出力制御部と
を備えた編集システム。
【請求項１３】
第１の画像を表示する出力装置と、
前記出力装置が前記第１の画像を表示している状態において、当該第１の画像を編集するための編集装置であって、
前記第１の画像が表示される実空間に関する空間情報を取得する実空間情報取得部と、
前記実空間情報取得部が取得した前記空間情報に基づき、前記実空間に存在する構造物に関する編集ガイド情報を設定する編集ガイド設定部と、
前記第１の画像に対応する第２の画像と、前記第２の画像とともに表示される前記編集ガイド情報に基づく画像と、前記第２の画像を編集するための編集用部品とを、画像編集用画面に表示させる表示制御部と、
前記表示制御部が表示させた前記編集用部品を用いた操作に追随して、前記第２の画像に基づき、前記出力装置が前記第１の画像を表示するための出力画像を生成し、当該出力画像を前記出力装置に出力する出力制御部と
を備えた編集システム。
【国際調査報告】
2020008498.tif 000024
2020008498.tif 000025
2020008498.tif 000026
2020008498.tif 000027